(57)【特許請求の範囲】
【請求項１】
マルチ副キャリアを活動化／非活動化する方法であって、
３つのオーダータイプビットの第１の組み合わせと３つのオーダービットの第１の組み合わせとを含む第１のオーダーを受信するステップであって、前記３つのオーダータイプビットの第１の組み合わせと前記３つのオーダービットの第１の組み合わせは、第１の複数の副キャリアに関する活動化／非活動化情報を提供し、前記第１の複数の副キャリアは少なくとも４つの副キャリアを含む、ステップと、
前記第１のオーダーから、活動化すべき少なくとも１つの副キャリアおよび非活動化すべき少なくとも１つの副キャリア、活動化すべき複数の副キャリア、並びに非活動化すべき複数の副キャリア、のうちの１つを決定するステップと、
前記決定に基づいて、前記第１の複数の副キャリアの活動化／非活動化を実行するステップと、
を含むことを特徴とする方法。
【請求項２】
前記３つのオーダータイプビットの前記第１の組み合わせは、２キャリア設定および４キャリア設定と適合性があることを特徴とする請求項１に記載の方法。
【請求項３】
前記第１の複数の副キャリアは、３つの副ダウンリンクキャリアを含むことを特徴とする請求項１に記載の方法。
【請求項４】
前記第１の複数の副キャリアは、少なくとも３つの副ダウンリンクキャリアおよび少なくとも１つの副アップリンクキャリアを含むことを特徴とする請求項１に記載の方法。
【請求項５】
３つのオーダータイプビットの第２の組み合わせと３つのオーダービットの第２の組み合わせとを含む第２のオーダーを受信するステップであって、前記３つのオーダータイプビットの第２の組み合わせおよび３つのオーダービットの第２の組み合わせは、第２の複数の副キャリアに関する活動化／非活動化情報を提供する、ステップと、
前記第２のオーダーから、活動化すべき少なくとも１つの副キャリアおよび非活動化すべき少なくとも１つの副キャリア、活動化すべき複数の副キャリア、並びに非活動化すべき複数の副キャリア、のうちの１つを決定するステップと、
をさらに含むことを特徴とする請求項１に記載の方法。
【請求項６】
ワイヤレス送受信ユニット（ＷＴＲＵ）であって、
３つのオーダータイプビットの第１の組み合わせと３つのオーダービットの第１の組み合わせとを含む第１のオーダーを受信し、前記３つのオーダータイプビットの第１の組み合わせと前記３つのオーダービットの第１の組み合わせは、第１の複数の副キャリアに関する活動化／非活動化情報を提供し、前記第１の複数の副キャリアは少なくとも４つの副キャリアを含み、
前記第１のオーダーから、活動化すべき少なくとも１つの副キャリアと非活動化すべき少なくとも１つの副キャリア、活動化すべき複数の副キャリア、および非活動化すべき複数の副キャリア、のうちの１つを決定し、
前記決定に基づいて、前記第１の複数の副キャリアの活動化／非活動化を実行する
ように構成されたプロセッサを備えることを特徴とするＷＴＲＵ。
【請求項７】
前記３つのオーダータイプビットの第１の組み合わせは、２キャリア設定および４キャリア設定と適合性があることを特徴とする請求項６に記載のＷＴＲＵ。
【請求項８】
前記第１の複数の副キャリアは、３つの副ダウンリンクキャリアを含むことを特徴とする請求項６に記載のＷＴＲＵ。
【請求項９】
前記第１の複数の副キャリアは、少なくとも３つの副ダウンリンクキャリアと少なくとも１つのアップリンクキャリアとを含むことを特徴とする請求項６に記載のＷＴＲＵ。
【請求項１０】
前記プロセッサは、
３つのオーダータイプビットの第２の組み合わせと３つのオーダービットの第２の組み合わせとを含む第２のオーダーを受信し、前記３つのオーダータイプビットの第２の組み合わせおよび３つのオーダービットの第２の組み合わせは、第２の複数の副キャリアに関する活動化／非活動化情報を提供し、
前記第２のオーダーから、活動化すべき少なくとも１つの副キャリアおよび非活動化すべき少なくとも１つの副キャリア、活動化すべき複数の副キャリア、並びに非活動化すべき複数の副キャリア、のうちの１つを決定する
ようにさらに構成されたことを特徴とする請求項６に記載のＷＴＲＵ。
【請求項１１】
前記第１の複数の副キャリアと前記第２の複数の副キャリアは同一であることを特徴とする請求項５に記載の方法。
【請求項１２】
前記第１の複数の副キャリアは少なくとも１つのダウンリンク副キャリアおよび少なくとも１つのアップリンク副キャリアを含み、前記少なくとも１つのダウンリンク副キャリアは副サービングＨＳ−ＤＳＣＨセルであり、前記少なくとも１つのアップリンク副キャリアは副サービング拡張専用チャネル（Ｅ−ＤＣＨ）セルであることを特徴とする請求項１に記載の方法。
【請求項１３】
前記第１の複数の副キャリアと前記第２の複数の副キャリアは同一であることを特徴とする請求項１０に記載のＷＴＲＵ。
【請求項１４】
前記第１の複数の副キャリアは少なくとも１つのダウンリンク副キャリアおよび少なくとも１つのアップリンク副キャリアを含み、前記少なくとも１つのダウンリンク副キャリアは副サービングＨＳ−ＤＳＣＨセルであり、前記少なくとも１つのアップリンク副キャリアは副サービング拡張専用チャネル（Ｅ−ＤＣＨ）セルであることを特徴とする請求項６に記載のＷＴＲＵ。
【発明の詳細な説明】
【技術分野】
【０００１】
本出願は、ワイヤレス（無線）通信に関する。
【背景技術】
【０００２】
ワイヤレス通信システムは、データネットワークへの持続的で、より高速なアクセスを提供する要求を満たすために発展を続けている。この発展は、業務、余暇、または他の目的で、いかなる場所、時間でも他のユーザまたは情報網に接続されていたい、というモバイルユーザの要望によって促進されている。そのような要求を満たすために、ワイヤレス通信システムは、データの伝送に複数のキャリア（ｃａｒｒｉｅｒ：搬送波）を使用する場合がある。データ伝送に複数のキャリアを使用するワイヤレス通信システムは、マルチキャリアシステムと称することがある。マルチキャリアの使用は、セルラ（携帯電話の通信方式）および非セルラ（携帯電話の通信方式以外の無線通信方式）の両方のワイヤレスシステムで拡大している。マルチキャリアシステムは、多様な利用可能なキャリア数に従って、ワイヤレス通信システムで利用可能な帯域幅を増大させることができる。例えば、２キャリアシステム（２搬送波方式）は、帯域幅を単一キャリアシステムの倍にすることができ、３キャリアシステム（３搬送波方式）は、帯域幅を単一キャリアシステムの３倍にすることができる、などができる。このスループット（回線容量）の利点に加えて、ダイバーシティおよび結合スケジューリング（ｊｏｉｎｔ  ｓｃｈｅｄｕｌｉｎｇ）の利点も期待することができる。その結果、エンドユーザ（最終使用者）に対するサービス品質（ＱｏＳ）が改善される可能性がある。さらに、マルチキャリアの使用は、多入力多出力（ＭＩＭＯ）と組み合わせて使用することができる。
【０００３】
例として、第３世代パートナーシッププロジェクト（３ＧＰＰ）システムの関連では、デュアルセル高速ダウンリンクパケットアクセス（ＤＣ−ＨＳＤＰＡ）と呼ばれる新しい機能が３ＧＰＰ仕様のＲｅｌｅａｓｅ  ８で導入されている。ＤＣ−ＨＳＤＰＡでは、同じ地理的領域が、同じ帯域内で隣接している可能性のある２つのＨＳＤＰＡのキャリアでカバーされる。ＤＣ−ＨＳＤＰＡシステムでは、同じ帯域内のキャリア間で周波数ダイバーシティを使用することで、システム性能を改善している。ＤＣ−ＨＳＤＰＡを使って、基地局（他のバリエーションまたは種類の通信ネットワークでは、ノードＢ、アクセスポイント、サイトコントローラ等と呼ばれることもある）は、同時に２つのダウンリンクキャリアを通じて無線送受信ユニット（ＷＴＲＵ）と通信する。これはＷＴＲＵで利用可能な帯域幅およびピークデータレートを倍にするだけでなく、２つのキャリアを通じた高速スケジューリングおよび高速のチャネルフィードバックを使ってネットワーク効率を高める可能性も有する。
【先行技術文献】
【特許文献】
【０００４】
【特許文献１】米国特許出願第１２／６１０，２８４号（米国特許出願公開第２０１０−１１０９８８号公報）
【発明の概要】
【発明が解決しようとする課題】
【０００５】
ワイヤレス通信でマルチキャリアを利用するための方法および装置を開示する。
【課題を解決するための手段】
【０００６】
本発明の方法は、マルチキャリアの活動化（ａｃｔｉｖａｔｉｏｎ；活性化とも称される）／非活動化（ｄｅａｃｔｉｖａｔｉｏｎ；非活性化とも称される）、マルチキャリアの不連続送信（ＤＴＸ）および不連続受信（ＤＲＸ）の活動化／非活動化および動作（オペレーション）、ならびにマルチキャリアについての肯定応答／否定応答のフィードバックを含む。これらの方法は、統合したマルチキャリアの活動化および非活動化、ならびにマルチキャリアの統合したＤＴＸおよびＤＲＸの活動化および非活動化の提供を含む。マルチキャリアを活動化／非活動化する方法は、活動化／非活動化メッセージを受信するステップを含み、この活動化／非活動化メッセージは、活動化／非活動化コマンド情報およびキャリア情報を含む。マルチキャリア（搬送波）のうち少なくとも１つのキャリア（搬送波）が、活動化／非活動化メッセージから決定され、活動化／非活動化メッセージに従って作用される。
【０００７】
より詳細な理解を以下の説明から得ることができ、以下の説明は、添付図面と併せて例示として与えられている。
【図面の簡単な説明】
【０００８】
【図１】アップリンク送信が複数のアップリンクキャリアを使用して処理される例示的ワイヤレス通信システムを示す図である。
【図２】図１のワイヤレス通信システムの例示的ワイヤレス送受信ユニット（ＷＴＲＵ）および例示的ノードＢを示す機能ブロック図である。
【図３】２つのアップリンクキャリアおよび２つのダウンリンクキャリアを示す機能ブロック図である。
【図４】単一のダウンリンクキャリアで搬送される２つのチャネルを示す機能ブロック図である。
【図５】高速共有制御チャネル（ＨＳＳＣＣＨ）のオーダー（命令、指令）を使用したキャリアの順次（シーケンシャル）活動化／非活動化の例示的具現化を示す図である。
【図６】変調した署名（シグネチャー）の重畳（ｓｕｐｅｒｐｏｓｉｔｉｏｎ）を使用して肯定応答／否定応答（ＡＣＫ／ＮＡＣＫ）情報を送信する例示的実施形態を示す図である。
【図７】ロングタームエボリューション（ＬＴＥ）のワイヤレス通信システム／アクセスネットワークの一実施形態を示す図である。
【図８】ＬＴＥワイヤレス通信システムのＷＴＲＵおよびノードＢを示す例示的ブロック図である。
【発明を実施するための形態】
【０００９】
以下で参照する場合、用語「ワイヤレス送受信ユニット（ＷＴＲＵ）」は、これらに限定されないが、ユーザ機器（ＵＥ）、移動局、固定または移動加入者ユニット、ページャ、セルラ電話、ＰＤＡ（携帯情報端末）、コンピュータ、またはワイヤレス環境で動作することが可能な他の種類のデバイスを含む。以下で参照する場合、用語「ノードＢ」は、これらに限定しないが、基地局、サイトコントローラ、アクセスポイント（ＡＰ）、またはワイヤレス環境で動作することが可能な他の種類のインタフェースデバイスを含む。
【００１０】
一般に、ネットワークは、少なくとも１つのダウンリンク（ＤＬ：下り回線）キャリア（搬送波）および／または少なくとも１つのアップリンク（ＵＬ：上り回線）キャリア（搬送波）を、それぞれアンカー（ａｎｃｈｏｒ）ダウンリンクキャリアおよびアンカーアップリンクキャリアとして割り当てることができる。マルチキャリアオペレーションでは、ＷＴＲＵは、２つ以上のキャリア（周波数とも呼ぶ）で動作するように構成することができる。それら各キャリアは、異なる特性ならびにネットワークおよびＷＴＲＵとの論理関係を有することができ、動作周波数は、グループ化されて、アンカーまたは主キャリア、および補助または副キャリアと呼ぶことができる。３つ以上のキャリアが設定される場合には、ＷＴＲＵは、２つ以上の主キャリアおよび／または２つ以上の副キャリアを含むことができる。例えば、アンカーキャリアは、ダウンリンク／アップリンク送信のための特定の制御情報セットを搬送するキャリアと定義することができる。アンカーキャリアとして割り当てられないキャリアは、いずれも補助キャリアとすることができる。あるいは、ネットワークは、アンカーキャリアを割り当てない場合もあり、どのダウンリンクまたはアップリンクキャリアにも、優先権、優先、またはデフォルトステータスを与えない場合もある。以降、用語「アンカーキャリア」、「主キャリア」、「アップリンクキャリア１」、「第１のキャリア」、「第１のアップリンクキャリア」、および「主要アップリンク周波数」は、本明細書では便宜上同義で使用する。同様に、用語「補助キャリア」、「副キャリア」、「アップリンクキャリア２」、「第２のキャリア」、「第２のアップリンクキャリア」、および「副アップリンク周波数」も本明細書では同義で使用する。
【００１１】
デュアルセル高速ダウンリンクパケットアクセス（ＤＣ−ＨＳＤＰＡ）およびデュアルセル高速アップリンクパケットアクセス（ＤＣ−ＨＳＵＰＡ）も含むデュアルセル高速パケットアクセス（ＤＣ−ＨＳＰＡ）の一部として、以下の定義／用語／前提が導入されており、本開示の範囲を制限することなく本開示にわたって使用することができる。まず、セクタは、同じ基地局に属し、同じ地理的領域をカバーする１つまたは複数のセルである。２番目に、２つのキャリアは同じ時間基準を有し、それらのダウンリンクは同期されている。次に、用語「アンカーキャリア」は、ＷＴＲＵに割り当てられたアップリンク周波数キャリアに関連付けられたダウンリンク周波数キャリアを指し、用語「補助キャリア」は、アンカーキャリアではないダウンリンク周波数キャリアを意味する。アップリンクの「アンカー」キャリアは、明示的な設定、または特定のアップリンク／ダウンリンクキャリアの間隔を介した暗黙的な関連付けのどちらかでダウンリンクのアンカーキャリアに関連付けられたアップリンクキャリアを指す。
【００１２】
実施形態によっては、複数個のアップリンクキャリアおよびダウンリンクキャリアをＷＴＲＵに設定することができる。マルチキャリアは、隣接していてもしていなくともよく、また、同じ周波数もしくは同じ無線帯域および／または同じ周波数範囲にあってもなくともよい。一実施形態では、マルチキャリアは、これらに限定しないが、同じ帯域内で隣接した４つのダウンリンクキャリアと同じ帯域内の１つまたは２つのアップリンクキャリア、２つの異なる帯域にわたる２つの隣接したダウンリンクキャリアとそれぞれの帯域内の２つのアップリンクキャリアとからなる２つの対、または、同じ帯域内で隣接した３つのダウンリンクキャリアとやはり同じ帯域内にある１つまたは２つの（隣接した）アップリンクキャリア、のどれを含んでもよい。
【００１３】
用語「ダウンリンク“アンカー”キャリア」は、これらに限定しないが、フラクショナル（部分）専用物理チャネル（Ｆ−ＤＰＣＨ）、拡張絶対グラントチャネル（Ｅ−ＡＧＣＨ）、およびその他のチャネル等のダウンリンク制御チャネルを搬送するダウンリンクキャリアを指すことができる。共通パイロットチャネル（ＣＰＩＣＨ）、高速共有制御チャネル（ＨＳ−ＳＣＣＨ）、および高速物理ダウンリンク共有チャネル（ＨＳ−ＰＤＳＣＨ）等の他の物理チャネルは、補助キャリアまたは副キャリア等のダウンリンクキャリアから読み出すことができる。２つ以上のダウンリンクキャリアが、１つまたは複数のアップリンクキャリアに関連付けられたダウンリンク制御チャネルを搬送する場合、ダウンリンクの「アンカー」キャリアは、「アンカー」のキャリア属性が設定されたダウンリンクキャリアを指すことができる。あるいは、用語「ダウンリンク“アンカー”キャリア」は、サービングＨＳ−ＤＳＣＨセルが送信されるダウンリンクキャリアを指す場合もある。任意で、単一のダウンリンクキャリアがＷＴＲＵに設定される場合は、そのキャリアが主要ダウンリンクキャリアになる。
【００１４】
本明細書を通じて以下の表記を使用することができる。語「ＤＬｎ」および「ＵＬｎ」は、ｎ＞０の場合に、それぞれｎ番目の副サービング高速ダウンリンク共有チャネル（ＨＳ−ＤＳＣＨ）セル（副ＤＬキャリア）と、ｎ番目の副サービング拡張専用チャネル（Ｅ−ＤＣＨ）セル（副ＵＬキャリア）を指すことができる。語「ＤＬ０」および「ＵＬ０」は、それぞれ主要サービングＨＳ−ＤＳＣＨセル（主要ＤＬキャリア）および主要サービングＥ−ＤＣＨセル（主要ＵＬキャリア）を指すことができる。
【００１５】
一部の実施形態では、ＵＬキャリアは、ＤＬキャリアと対にすることができる。これに対して、ＤＬキャリアは、対にならない場合がある（すなわち設定されるＤＬキャリアの数は、設定されるＵＬキャリア数より多いかまたは等しい可能性がある）。ＤＬキャリアがＵＬキャリアと対になっている場合、ＵＬ／ＤＬキャリアの対は、そのキャリア対の可能な３つの状態間の遷移をカバーするために３つの異なるオーダー（ｏｒｄｅｒ）を必要とする場合がある。状態（ｓｔａｔｅ）１は、ＵＬキャリアとＤＬキャリアの両方が活動化されていることを意味することができ、状態２は、ＵＬキャリアとＤＬキャリアの両方が非活動化されていることを意味することができ、状態３は、ＤＬキャリアが活動化され、ＵＬキャリアが非活動化されていることを意味することができる。
【００１６】
代替的実施形態では、関連付けられたＤＬキャリアが非活動化されている場合には、ＵＬキャリアは、活動化することができない。
【００１７】
ＤＬキャリアが対になっていない場合（すなわちＤＬキャリアが、関連付けられたＵＬキャリアを持たない場合）は、２つの可能な状態間の遷移（ｔｒａｎｓｉｔｉｏｎ）をカバーするために２つの異なるオーダー（ｏｒｄｅｒ）が必要となり、状態１は、ＤＬキャリアが活動化されていることを意味し、状態２は、ＤＬキャリアが非活動化されていることを意味することができる。
【００１８】
本明細書に開示される実施形態は、個々に、または任意の組み合わせで使用することができる。さらに、本明細書に開示される実施形態は、Ｍａｒｉｎｉｅｒ（マリニアー）らによる特許文献１、名称「ＭＥＴＨＯＤ  ＡＮＤ  ＡＰＰＡＲＡＴＵＳ  ＦＯＲ  ＵＴＩＬＩＺＩＮＧ  ＭＵＬＴＩＰＬＥ  ＣＡＲＲＩＥＲＳ  ＩＮ  ＨＩＧＨ  ＳＰＥＥＤ  ＰＡＣＫＥＴ  ＡＣＣＥＳＳ  ＣＯＭＭＵＮＩＣＡＴＩＯＮ」（高速パケットアクセス通信におけるマルチキャリアを使用する方法と装置）に記載される実施形態と組み合わせて使用することができる。同出願は、参照により本明細書に組み込まれる。
【００１９】
図１は、例示的実施形態による例示的なワイヤレス通信システム１００を示し、アップリンク送信は、マルチキャリア１６０を使用して処理され、ダウンリンク送信は、マルチキャリア１７０を使用して処理される。ワイヤレス通信システム１００は、複数のＷＴＲＵ１１０、ノードＢ１２０、制御無線ネットワークコントローラ（ＣＲＮＣ）１３０、サービング無線ネットワークコントローラ（ＳＲＮＣ）１４０、およびコアネットワーク１５０を含む。ノードＢ１２０、ＣＲＮＣ１３０、およびＳＲＮＣ１４０は、まとめてユニバーサル移動遠隔通信システム（ＵＭＴＳ）地上波無線アクセスネットワーク（ＵＴＲＡＮ）１８０と呼ぶことができる。
【００２０】
図１に示すように、ＷＴＲＵ１１０は、ノードＢ１２０と通信し、ノードＢ１２０は、ＣＲＮＣ１３０およびＳＲＮＣ１４０と通信する。図１には、３つのＷＴＲＵ１１０、１つのノードＢ１２０、１つのＣＲＮＣ１３０、および１つのＳＲＮＣ１４０を示すが、ワイヤレス通信システム１００にはワイヤレスデバイスと有線デバイスの任意の組み合わせが含まれてよいことに留意されたい。
【００２１】
図２は、図１のワイヤレス通信システム１００のＷＴＲＵ２１０およびノードＢ２２０の機能ブロック図を示す。図２に示すように、ＷＴＲＵ２１０はノードＢ２２０と通信状態にあり、両者とも、ＷＴＲＵ２１０からのアップリンク送信が複数個のアップリンクキャリア２６０を使用してノードＢ２２０に伝送され、ノードＢ２２０からのダウンリンク送信が複数個のダウンリンクキャリア２７０を使用してＷＴＲＵ２１０に伝送される方法を行うように構成されている。
【００２２】
ＷＴＲＵ２１０は、プロセッサ２１５、受信器２１６、送信器２１７、メモリ２１８、アンテナ２１９、および典型的なＷＴＲＵに見られる他の構成要素（図示せず）を備える。アンテナ２１９は、複数のアンテナ素子を含んでよく、または、やはりＷＴＲＵ２１０に含めることが可能な複数のアンテナを含むことができる。メモリ２１８は、オペレーティングシステム、アプリケーション等を含むソフトウェアを記憶するために備えられている。プロセッサ２１５は、マルチキャリアのオペレーションを行う方法を、単独で、またはソフトウェアおよび／または構成要素の１つまたは複数と連携して、行うために備えられている。受信器２１６および送信器２１７は、プロセッサ２１５と通信する。受信器２１６および送信器２１７は、１つまたは複数のキャリアを同時に受信および送信することができる。あるいは、複数個の受信器および／または複数個の送信器がＷＴＲＵ２１０に含まれてもよい。アンテナ２１９は、受信器２１６および送信器２１７の両方と通信して、マルチキャリアのシナリオ（筋書き）におけるワイヤレスデータの送受信を手助けする。
【００２３】
ノードＢ２２０は、プロセッサ２２５、受信器２２６、送信器２２７、メモリ２２８、アンテナ２２９、および典型的な基地局またはノードＢに見られる他の構成要素（図示せず）を備える。アンテナ２２９は、複数のアンテナ素子および／またはやはりノードＢ２２０に含めることが可能な複数のアンテナを含むことができる。メモリ２２８は、オペレーティングシステム、アプリケーション等を含むソフトウェアを記憶するために備えられている。プロセッサ２２５は、マルチキャリア動作を行う方法を、単独で、またはソフトウェアおよび／または構成要素の１つまたは複数と連携して行うために備えられている。受信器２２６および送信器２２７は、プロセッサ２２５と通信する。受信器２２６および送信器２２７は、１つまたは複数のキャリアを同時に受信および送信することができる。あるいは、複数個の受信器および／または複数個の送信器がノードＢ２２０に含まれてもよい。アンテナ２２９は、受信器２２６および送信器２２７の両方と通信し、ワイヤレスデータの送受信を手助けする。
【００２４】
本明細書に開示される実施形態は、マルチキャリア（多搬送波、多重搬送波）の活動化および非活動化を行い、マルチキャリアの不連続受信（ＤＲＸ）および不連続送信（ＤＴＸ）の活動化および非活動化を行い、マルチキャリアのＤＲＸおよびＤＴＸオペレーションを行い、マルチキャリアについて肯定応答／否定応答のフィードバックを実行するためのいくつかの手法（アプローチ）を提供する。ダウンリンク（アップリンク）またはＤＲＸ（ＤＴＸ）のシナリオの点に関していくつかの実施形態を本明細書に開示できるけれども、本明細書に開示される実施形態は、アップリンク（ダウンリンク）またはＤＴＸ（ＤＲＸ）のシナリオに対して適用できるということを理解すべきであると留意されたい。
【００２５】
また、本明細書に開示される実施形態は、３ＧＰＰ  Ｒｅｌｅａｓｅ  ４〜７に使用されるチャネルに関連して説明するが、それら実施形態は、ＬＴＥ  Ｒｅｌｅａｓｅ  ８、ＬＴＥ−Ａｄｖａｎｃｅｄ、およびその他の種類のワイヤレス通信システム（およびそれらシステムで使用されるチャネル）等のそれ以上の３ＧＰＰ  Ｒｅｌｅａｓｅ（およびそれらで使用されるチャネル）にも適用可能であることも留意されたい。また、本明細書に記載される実施形態は、どのような順序または組み合わせでも適用しうることにも留意すべきである。
【００２６】
補助キャリアを動的に活動化および非活動化する実施形態が開示される。より詳細には、図３および図４に、マルチキャリアオペレーションを行うための実施形態を示す。図３および図４で使用されるチャネルは特定チャネルの使用を示すが、それらのキャリアでは任意のチャネルを搬送できることに留意されたい。ここで図３を参照すると、異なるキャリアが異なる地理上の区域をカバーする実例のワイヤレス通信システムでは、ＷＴＲＵは、そのＷＴＲＵに設定されたＨＳＤＰＡキャリアの一部でカバーされるが、他のキャリアではカバーされない領域内にある場合がある。例えば図３では、ノードＢ３００およびＷＴＲＵ３０５は、ダウンリンクキャリア１  ３１０およびアップリンクキャリア１  ３１５を介する通信有効範囲（通信可能範囲）を有するが、ダウンリンクキャリア２  ３２０およびアップリンクキャリア２  ３２５は介さない、とすることができる。本明細書に開示される実施形態は、受信器／送信または送受信器（トランシーバ）に含まれる無線機の数に関係なく、任意のマルチキャリアシステムに適用できることに気付くであろう。
【００２７】
ＨＳ−ＳＣＣＨオーダーを使用して補助キャリアの活動化および非活動化を制御するように、ＵＴＲＡＮを構成できる実施形態が開示される。図４を参照すると、ＨＳ−ＳＣＣＨオーダーは、ノードＢ４００からＷＴＲＵ４０５にダウンリンクキャリア１  ４１０で搬送されるＣＨ1  ４２０であることができる。第１の例では、ＨＳ−ＳＣＣＨオーダーは、補助キャリアの活動化および非活動化を個別に制御する。このＨＳ−ＳＣＣＨオーダーは、そのオーダーに従って活動化および非活動化すべきキャリアの指示を伝えるように設定することができる。代替例では、すべての補助キャリアを同時に活動化および非活動化するようにＨＳ−ＳＣＣＨオーダーを用意しておくことができる。
【００２８】
ＨＳ−ＳＣＣＨオーダーのシグナリング（信号伝達）は、ｘodt,1、ｘodt,2、ｘodt,3と表記されるオーダータイプビット、およびｘord,1、ｘord,2、ｘord,3と表記されるオーダービットを使用して行うことができる。
【００２９】
第１の実施形態では、オーダータイプは、活動化／非活動化のオーダー（指令、命令）を指示し、オーダービットは、そのオーダーを適用するキャリアを指示する。例えば、オーダータイプｘodt,1，ｘodt,2，ｘodt,3＝‘０１０’の場合、オーダーは、ｘord,1、ｘord,2、ｘord,3で指示される補助キャリアのインデックス（指標、索引）のための活動化オーダーである。オーダータイプｘodt,1，ｘodt,2，ｘodt,3＝‘０１１’の場合、オーダーは、ｘord,1、ｘord,2、ｘord,3で指示される補助キャリアのインデックスのための非活動化オーダーである。その他の補助キャリア（ｘord,1、ｘord,2、ｘord,3で示されないキャリア）は、そのオーダーの影響を受けない。この方式では、最高で８個の補助キャリアのシグナリングが可能であるが、２つのオーダータイプを必要とする。説明の目的のみで、オーダータイプｘodt,1，ｘodt,2，ｘodt,3＝‘０１０’およびオーダービットｘord,1，ｘord,2，ｘord,3＝‘１１１’が受信された場合は、補助キャリアインデックス７に関連付けられている補助キャリアを活動化することができる。あるいは、オーダータイプｘodt,1，ｘodt,2，ｘodt,3＝‘０１０’の場合、オーダーは、ｘord,1、ｘord,2、ｘord,3で指示される補助キャリアインデックスについての非活動化オーダーである。オーダータイプｘodt,1，ｘodt,2，ｘodt,3＝‘０１１’の場合、オーダーは、ｘord,1、ｘord,2、ｘord,3で指示される補助キャリアインデックスについての活動化オーダーである。
【００３０】
第２の実施形態では、オーダータイプｘodt,1，ｘodt,2，ｘodt,3＝‘０１０’の場合に、動的な切り替えまたは活動化／非活動化が実行される。そしてオーダービットを調べて、適切なアクション（行動）と補助キャリアを決定する。オーダービットｘord,1＝１の場合は、補助キャリア１が活動化され、オーダービットｘord,1＝０の場合は、補助キャリア１が非活動化される。オーダービットｘord,2＝１の場合は、補助キャリア２が活動化され、オーダービットｘord,2＝０の場合は補助キャリア２が非活動化される。オーダービットｘord,3＝１の場合は補助キャリア３が活動化され、オーダービットｘord,3＝０の場合は補助キャリア３が非活動化される。この実施形態は、単一のオーダータイプを使用し、最高で３つの補助キャリアを同時に活動化および非活動化することができる。
【００３１】
別の実施形態では、ＵＴＲＡＮは、一群のキャリアを同時に活動化または非活動化するための明示的な信号を送信する。例えば、以下の方法の１つまたは組み合わせを使用して、一群のキャリアを構成することができる。そのグループ化の方法の１つでは、グループは、所与の周波数帯域にあるすべての補助キャリア（アップリンク、ダウンリンク、またはその両方についての）を包含することができ、周波数帯域と明示的なメッセージとの間の関連付けを、事前に設定しておくか、または明示的なメッセージが送信される周波数帯域に基づき暗示されることができる。別のグループ化方法では、グループは、すべての補助キャリア（アップリンク、ダウンリンク、またはその両方についての）からなることができる。さらに別のグループ化方法では、グループは、所与のダウンリンクアンカーキャリアに関連付けられたすべてのダウンリンク補助キャリア（同じ周波数であってもそうでなくともよい）からなることができる。なお別のグループ化方法では、グループは、特定周波数帯域のすべてのキャリア（アップリンク、ダウンリンク、またはその両方）からなることができる（すなわち指定された周波数帯域の受信を非活動化または活動化する）。別のグループ化方法では、グループは、ダウンリンク、アップリンク、または両方のすべての非アンカーキャリアからなることができる。別のグループ化方法では、グループは、あるキャリアグループの一部であるすべてのキャリアからなることができ、このキャリアグループは、ダウンリンクおよび／またはアップリンクキャリアの事前に定義されたリスト（一覧表）であり、グループ内のダウリンクおよび／またはアップリンクキャリアのリストは、無線ベアラ（ｒａｄｉｏ  ｂｅａｒｅｒ）の確立／再構成時に無線リソースコントローラ（ＲＲＣ）のシグナリングを通じて事前設定されるか、またはＷＴＲＵに事前に設定しておくことができる。別のグループ化方法では、グループは、あるキャリアグループの一部であるすべてのキャリアからなることができ、ダウンリンクキャリアのグループは、これに限定しないが、高速ダウンリンク共有チャネル（ＨＳ−ＤＳＣＨ）−ＲＮＴＩ（Ｈ−ＲＮＴＩ）等の同一の無線ネットワーク一時識別子がＷＴＲＵに割り当てられたすべてのキャリアと定義することができる。本明細書に開示される例示的なグループ化方法は、本明細書に記載のすべての実施形態に適用することができる。
【００３２】
明示的なシグナリングの実施形態を概略的に開示し、以下でより詳細に説明する。一実施形態では、キャリアグループを同時に活動化または非活動化するための明示的な信号は、副サービングＨＳ−ＤＳＣＨセルを活動化および非活動化するための既存のオーダーとは異なる、新規の高速共有制御チャネル（ＨＳ−ＳＣＣＨ）オーダー（命令、指令）からなるとすることができる。別の実施形態では、その明示的な信号は、例えばＷＴＲＵがマルチキャリアオペレーション用に構成されたときに、副サービングＨＳ−ＤＳＣＨセルの活動化および非活動化だけでなく、キャリアのグループ、例えばすべての補助サービングＨＳ−ＤＳＣＨセルキャリアをＷＴＲＵが指示すると再解釈された、副サービングＨＳ−ＤＳＣＨセルを活動化および非活動化するための既存のオーダーとすることができる。この例示的なオーダーは、各自の帯域で「補助（ｓｕｐｐｌｅｍｅｎｔａｒｙ）」とみなされるキャリアに適用することができる。例えば、活動化／非活動化コマンドは、所与の帯域でアンカーであるダウンリンク（ＤＬ）キャリアには適用することができない。
【００３３】
別の実施形態では、明示的な信号は、キャリアのグループを同時に活動化または非活動化するためのＬ２またはＬ３の明示的なメッセージとすることができる。
【００３４】
本明細書に開示される明示的な実施形態に関しては、明示的なメッセージは、そのメッセージが送信された帯域のキャリアに対して適用することができる。
【００３５】
本明細書に開示される明示的な実施形態では、明示的なメッセージは、同じアンカーキャリアに関連付けられている補助キャリアに対して適用することができる。
【００３６】
キャリア単位もしくは個々のキャリアまたは対になったキャリア単位で実行される副キャリアの活動化／非活動化（それは事前に定義するか、事前に指定するか、または事前に設定することができる）の各種方法の詳細は、下記で説明する。複数個のＨＳ−ＳＣＣＨオーダーを使用してマルチキャリアを同時に活動化／非活動化することができる。
【００３７】
一実施形態では、副キャリアの活動化／非活動化を指示するために使用される既存のオーダータイプを各種のオーダーマッピング方法と組み合わせて再利用することで、活動化／非活動化オーダーを提供し、活動化／非活動化オーダーを適用することが可能な対象キャリア（または対象キャリア対）を指示する。ＤＣ−ＨＳＰＡでは、既存のオーダータイプ、ｘodt,1，ｘodt,2，ｘodt,3＝‘００１’、３ビットオーダー（ｘord,1，ｘord,2，ｘord,3）を、第１の副キャリアのＵＬおよびＤＬ両方の活動化および非活動化に使用する。この実施形態では、各種のオーダーマッピング方法を既存のオーダータイプ（ｘodt,1，ｘodt,2，ｘodt,3）＝‘００１’の再利用と組み合わせて使用して、複数個の副キャリアがあるＭＣ−ＨＳＰＡの場合に、対象とする副キャリアを個別に活動化／非活動化する。
【００３８】
第１の方法では、単一のＵＬキャリアが設定される。単一のＵＬキャリアが設定される場合、最高で４つのＤＬキャリアを有するＭＣ−ＨＳＤＰＡシステムでは、３ビットのオーダーで副キャリアの活動化／非活動化を完全にサポートすることができる。２値の１オーダービットを使用して、各副ＤＬキャリアの活動化または非活動化を指示することができ（オーダービット「１」および「０」はそれぞれ活動化および非活動化、または非活動化および活動化を意味することができる）、オーダービットの残りで、そのオーダーを適用する対象副ＤＬキャリアのインデックスを指示することができ、そのため、３つの副ＤＬキャリアの個々の活動化／非活動化に必要とされるのが３オーダービットで済む。この方法は、最高でＫ個のＤＬキャリアを有するＭＣ−ＨＳＤＰＡシステムに適用することができる。（Ｋ−１）個の副ＤＬキャリアの個々の活動化／非活動化には、Ｎ個のオーダービットが必要とすることができ、Ｎは、Ｎ≧［１＋ｌｏｇ2（Ｋ−１）］であるような整数である。オーダービットとキャリア間のマッピング（対応付け）は、任意のオーダーで指示することができる。一例では、例として表１に示すように、異なるＨＳ−ＳＣＣＨオーダーを個々に送信して各ダウンリンクキャリアを活動化および非活動化することができる。表１は、４つのＤＬキャリアが設定されたＭＣ−ＨＳＤＰＡで副キャリアを活動化／非活動化するためのＨＳ−ＳＣＣＨオーダーを表す。実際のコマンドとビットのマッピングは、表１とは異なる形を取ってもよいことを理解されたい。また、この概念はＤＬキャリアが４つ未満の場合にも当てはまることも理解されたい。その場合は、未設定のキャリアの活動化および非活動化に関連するオーダーが「予備（ｒｅｓｅｒｖｅｄ）」に変更される。これは、本明細書で論じられるすべての実施形態に該当することができる。以下に示す実際のコマンドとビットのマッピングは、キャリア単位またはグループ単位で適用することができる。
【００３９】
【表１】
0005531023.tif 000002
【００４０】
第２の方法では、複数個のＵＬキャリアが設定される。以下の実施形態の組は、２つのＵＬキャリアが設定され、既存の３ビット、ｘord,1、ｘord,2、およびｘord,3を再解釈して補助キャリアの活動化／非活動化を達成することができる事例のものとすることができる。これらの実施形態は単一のＵＬキャリアが設定される場合にも使用できることに留意されたい。
【００４１】
例示的実施形態の１つを下記の表２に示し、この場合は、１オーダービットで指示することができる単一のＤＬキャリアまたは対になったＤＬ／ＵＬキャリアを各ＨＳ−ＳＣＣＨオーダーで活動化／非活動化することができ、オーダービットの残りで、対象とするキャリアまたは対象とするキャリア対への活動化／非活動化オーダーを指示することができる。ｘord,1＝０の場合は、オーダーは、対になったＤＬ１／ＵＬ１キャリアに対する活動化／非活動化オーダーである。ｘord,1＝１の場合、オーダーは、単一のＤＬキャリア（すなわちＤＬ２またはＤＬ３）に対する活動化／非活動化オーダーである。換言すると、複数ダウンリンクキャリアを活動化または非活動化するために、複数個のＨＳ−ＳＣＣＨオーダーをノードＢから送信することができる。実際のコマンドとビットのマッピングは表２と異なる形を取ってよいことを理解されたい。表２には、ＭＣ−ＨＳＰＡで副キャリアを活動化／非活動化するための例示的なＨＳ−ＳＣＣＨオーダーを示す。
【００４２】
【表２】
0005531023.tif 000003
【００４３】
別の例示的実施形態では、事前に指定されたダウンリンクキャリア、例えばＤＬ２およびＤＬ３を、表３に示すように単一のＨＳ−ＳＣＣＨオーダーを使用して同時に活動化または非活動化することができる。この例では、ｘord,2のビットを使用してＤＬ２の活動化または非活動化を指示し、一方、ｘord,3のビットを使用してＤＬ３の活動化または非活動化を指示する。実際のコマンドとビットのマッピングは表３と異なる形を取ってよいことを理解されたい。表３には、ＭＣ−ＨＳＰＡで副キャリアを活動化／非活動化するための例示的なＨＳ−ＳＣＣＨオーダーを示す。
【００４４】
【表３】
0005531023.tif 000004
【００４５】
４つもの数のキャリアがＵＬに設定される別の実施形態の組を使用することができる。これらの実施形態は、単一のＵＬキャリアが設定される場合も適用できることに留意されたい。
【００４６】
一実施形態の一環として、第２および第３の副キャリア対、すなわちＤＬ２／ＵＬ２およびＤＬ３／ＵＬ３の活動化／非活動化を一緒にシグナリングすることができる。例として、ＨＳ−ＳＣＣＨオーダー「１１１」、「１０１」、および「１００」を使用して、第２および第３の副キャリアのＵＬおよびＤＬを同時に活動化／非活動化することができる。一例示的実施を表４に示し、表４は、ＭＣ−ＨＳＰＡで副キャリアを活動化／非活動化するためのＨＳ−ＳＣＣＨオーダーの例を示す。この実施形態では、ｘord,1＝０の場合、Ｒｅｌｅａｓｅ  ９  ＤＣ−ＨＳＵＰＡのオーダーマッピングを第１の副キャリアに適用することができる。ｘord,1＝１の場合は、Ｒｅｌｅａｓｅ  ９  ＤＣ−ＨＳＵＰＡのオーダーマッピングを第２および第３の副キャリアに共に適用することができる。この実施形態は、Ｒｅｌｅａｓｅ  ９のＤＣ−ＨＳＵＰＡとの後方能力（ｂａｃｋｗａｒｄｓ  ｃａｐａｂｉｌｉｔｙ）を考慮せずに、他の２つの組み合わせ（第１および第２の副キャリアが共にシグナリングされる、または第１および第３の副キャリアが共にシグナリングされる）に適用することができる。
【００４７】
【表４】
0005531023.tif 000005
【００４８】
４ＤＬおよび４ＵＬのキャリアを活動化／非活動化するための代替実施形態では、ＵＬおよびＤＬ両方の第２のキャリアに対する単一の活動化／非活動化コマンド、および／またはＵＬおよびＤＬ両方の第３のキャリアに対する単一の活動化／非活動化コマンドを使用して、ＵＬ／ＤＬキャリアの対を第２および第３の副キャリアについて一緒に活動化／非活動化する。
【００４９】
一実施形態では、暗黙的にオーダーを送信するために使用できるＨＳ−ＳＣＣＨ番号で、対象とするキャリアまたはキャリアのグループを指示する。一例示的実施では、（ＨＳ−ＳＣＣＨ番号）ｍｏｄ  ２＝０の場合、ＨＳ−ＳＣＣＨオーダーは、第１の副キャリアのみを対象とし、０１１は、第１の副ＵＬおよび第１の副ＤＬの両方の活動化を意味し、００１は、第１の副ＤＬの活動化と第１の副ＵＬの非活動化を意味し、０００は、第１の副ＵＬおよび第１のＤＬの両方の非活動化を意味する。（ＨＳ−ＳＣＣＨ番号）ｍｏｄ  ２＝１の場合、ＨＳ−ＳＣＣＨオーダーは、第２および第３の副キャリアを対象とし、０１１は、第２の副ＵＬおよび第２の副ＤＬの両方の活動化を意味し、００１は、第２の副ＤＬの活動化と第２の副ＵＬの非活動化を意味し、０００は、第２の副ＵＬおよび第２の副ＤＬの両方の非活動化を意味し、１１１は、第３の副ＵＬおよび第３の副ＤＬの両方の活動化を意味し、１０１は、第３の副ＤＬの活動化と第３の副ＵＬの非活動化を意味し、１００は、第３の副ＵＬおよび第３の副ＤＬ両方の非活動化を意味する。
【００５０】
あるいは、（ＨＳ−ＳＣＣＨ番号）ｍｏｄ  ２＝０の場合、ＨＳ−ＳＣＣＨオーダーは、第２の副キャリアを対象とすることができる。（ＨＳ−ＳＣＣＨ番号）ｍｏｄ  ２＝１の場合、ＨＳ−ＳＣＣＨオーダーは、第１および第３のキャリアを対象とすることができる。別の変形では、（ＨＳ−ＳＣＣＨ番号）ｍｏｄ  ２＝０の場合、ＨＳ−ＳＣＣＨオーダーは、第３の副キャリアを対象とすることができる。（ＨＳ−ＳＣＣＨ番号）ｍｏｄ  ２＝１の場合、ＨＳ−ＳＣＣＨオーダーは、第１および第２のキャリアを対象とすることができる。オーダーは、上記の例に示すように、対象とするキャリアに適宜適用される。
【００５１】
別の例示的実施形態では、（ＨＳ−ＳＣＣＨ番号）ｍｏｄ  ２＝０の場合、ＨＳ−ＳＣＣＨオーダーは、第１および第２の副キャリアを対象とすることができ、０１１は、第１の副ＵＬおよび第１の副ＤＬの両方の活動化を意味し、００１は、第１の副ＤＬの活動化と第１の副ＵＬの非活動化を意味し、０００は、第１の副ＵＬおよび第１の副ＤＬの両方の非活動化を意味し、１１１は、第２の副ＵＬおよび第２の副ＤＬの両方の活動化を意味し、１０１は、第２の副ＤＬの活動化と第２の副ＵＬの非活動化を意味し、１００は、第２の副ＵＬおよび第２の副ＤＬの両方の非活動化を意味する。（ＨＳ−ＳＣＣＨ番号）ｍｏｄ  ２＝１の場合は、ＨＳ−ＳＣＣＨオーダーは第３の副キャリアを対象とすることができ、０１１は、第３の副ＵＬおよび第３の副ＤＬの両方の活動化を意味し、００１は、第３の副ＤＬの活動化と第３の副ＵＬの非活動化を意味し、０００は、第３の副ＵＬおよび第３の副ＤＬの両方の非活動化を意味する。
【００５２】
別の実施形態では、（ＨＳ−ＳＣＣＨ番号）ｍｏｄ  ２＝０の場合、ＨＳ−ＳＣＣＨオーダーは、第２および第３の副キャリアを対象とすることができる。（ＨＳ−ＳＣＣＨ番号）ｍｏｄ  ２＝１の場合は、ＨＳ−ＳＣＣＨオーダーは、第１のキャリアを対象とすることができる。あるいは、（ＨＳ−ＳＣＣＨ番号）ｍｏｄ  ２＝０の場合は、ＨＳ−ＳＣＣＨオーダーは、第１および第３の副キャリアを対象とすることができる。（ＨＳ−ＳＣＣＨ番号）ｍｏｄ  ２＝１の場合は、ＨＳ−ＳＣＣＨオーダーは、第２のキャリアを対象とすることができる。これらのオーダーは、上記の例に示すように、それら対象キャリアに適宜適用される。
【００５３】
別の例示的実施形態では、（ＨＳ−ＳＣＣＨ番号）ｍｏｄ  ２＝０の場合、ＨＳ−ＳＣＣＨオーダーは、設定された第１の周波数帯域の全キャリアを対象とする。同様に、（ＨＳ−ＳＣＣＨ番号）ｍｏｄ  ２＝１の場合は、ＨＳ−ＳＣＣＨオーダーは、設定された副周波数帯域の全キャリアを対象とする。
【００５４】
別の実施形態では、非活動化の対象とするキャリアまたはキャリアのグループは、ＨＳ−ＳＣＣＨオーダーが送信されたキャリアに基づいて決定することができる。換言すると、非活動化オーダーは、非活動化しようとするキャリアで送信することができる。一方、活動化オーダーは、どのアクティブキャリアで送信してもよい。例示的な実現を表５に示し、ここでは、ＤＬｒｘおよびＵＬｒｘは、ＨＳ−ＳＣＣＨオーダーが受信されたＤＬキャリアに関連付けられたＵＬおよびＤＬキャリアに対応する。表５は、ＭＣ−ＨＳＰＡで副キャリアを活動化／非活動化するためのＨＳ−ＳＣＣＨオーダーを示す。
【００５５】
【表５】
0005531023.tif 000006
【００５６】
任意で、「１００」を使用してすべてのキャリアを同時に非活動化することができる。
【００５７】
別の実施形態では、非活動化の対象とするキャリアまたはキャリアのグループは、ＨＳ−ＳＣＣＨオーダーが送信された周波数帯域に基づいて決定することができる。一例では、所与の周波数帯域にあるすべてのキャリアに対する非活動化オーダーは、非活動化しようとする周波数帯域の任意のキャリアを通じて送信することができる。一方、活動化オーダーは、どのアクティブキャリアで送信してもよい。
【００５８】
本明細書に、副キャリアの活動化／非活動化をサポートするために新しいオーダータイプが導入された実施形態を開示する。一実施形態では、追加的なオーダータイプを使用することにより、利用可能なＨＳ−ＳＣＣＨオーダー数を増やすことができる。それにより、副ＵＬキャリアおよび副ＤＬキャリアを活動化および非活動化するために使用できるＨＳ−ＳＣＣＨオーダーをより多く追加することが可能になる。下記の表６に示す例示的な具現化の１つでは、オーダータイプ、ｘodt,1，ｘodt,2，ｘodt,3＝‘００１’を使用してＤＬ１、ＤＬ２、ＵＬ１、およびＵＬ２を活動化および非活動化するためのコマンドを送信することができ、一方、ＤＬ３およびＵＬ３を活動化および非活動化するために新規のオーダータイプｘodt,1、ｘodt,2，ｘodt,3＝‘０１０’を導入することができる。表６は、ＭＣ−ＨＳＰＡで副キャリアを活動化／非活動化するためのＨＳ−ＳＣＣＨオーダーを示す。
【００５９】
【表６】
0005531023.tif 000007
【００６０】
別の実施形態では、ＨＳ−ＳＣＣＨオーダーの一部として送信されるオーダータイプを使用してキャリアを区別することができる。３ＧＰＰ  Ｒｅｌｅａｓｅ  ９では、オーダータイプｘodt,1，ｘodt,2，ｘodt,3＝‘０００’を使用して、ＤＴＸ、ＤＲＸ、およびＨＳ−ＳＣＣＨ削減動作（ＨＳ−ＳＣＣＨ−ｌｅｓｓ  ｏｐｅｒａｔｉｏｎ）に関連するコマンドをシグナリングすることができ、一方、オーダータイプｘodt,1，ｘodt,2，ｘodt,3＝‘００１’を使用して、ＤＬ１およびＵＬ１の活動化／非活動化を指定することができる。この実施形態の一環として、各追加的ＤＬキャリア（および可能性としては対応する各ＵＬキャリア）を活動化および非活動化するために、新規のオーダータイプを定義することができる。例として、ＤＬ２およびＵＬ２の活動化／非活動化をシグナリングする際にｘodt,1，ｘodt,2，ｘodt,3＝‘０１０’を使用することができ、これに対してｘodt,1，ｘodt,2，ｘodt,3＝‘０１１’を使用してＤＬ３およびＵＬ３の活動化／非活動化をシグナリングすることができる。任意の他の利用可能なオーダータイプを使用して特定のＤＬとＵＬの対の活動化／非活動化をシグナリングしてもよいことを理解されたい。現在３ＧＰＰ  Ｒｅｌｅａｓｅ  ９に定義される既存のオーダービット、ｘord,1、ｘord,2、ｘord,3を、ＤＬキャリアとＵＬキャリアの各対に再利用することができる。そして、キャリア対は、オーダータイプで区別することができる。
【００６１】
代替実施形態では、４ＤＬキャリアおよび４ＵＬキャリアのＭＣ−ＨＳＰＡシステムで副キャリアを活動化／非活動化するために、ＨＳ−ＳＣＣＨオーダーフィールドのビット数を増加することができる。追加的なオーダービット、例えばｘord,4は、転送ブロックサイズ（ｔｒａｎｓｐｏｒｔ−ｂｌｏｃｋ  ｓｉｚe）情報フィールドの６ビット（ｘtbspb,1、ｘtbspb,2，．．．、ｘtbspb,6）のいずれか、および／または１ビットの新規のデータ標識（ｘnd,1）フィールドから選んでとることができる。本明細書に記載される方法でオーダーの長さおよび／またはオーダータイプを増加した後に、３ビットのオーダータイプおよび３ビットのオーダーと共に各種の活動化／非活動化オーダーのマッピング方式を使用できることが理解できよう。
【００６２】
代替実施形態では、ＨＳ−ＳＣＣＨオーダータイプのビットの１つまたは２つをＨＳ−ＳＣＣＨオーダービットとして再解釈することができる。例として、ｘodt,1ビットをｘord,4と解釈して、より多くのＨＳ−ＳＣＣＨコマンドを可能にすることができる。
【００６３】
代替実施形態では、新しいＨＳ−ＳＣＣＨタイプ、例えばタイプ４を導入して、ＷＴＲＵがマルチキャリアモードに設定されたときにＨＳ−ＳＣＣＨオーダーを送信することができる。ＷＴＲＵの設定は、上位層からシグナリングすることができる。ＨＳ−ＳＣＣＨタイプ４は、ＭＣ−ＨＳＰＡシステムで副キャリアを活動化／非活動化するために十分なオーダービットを提供するように構築することができる。
【００６４】
代替実施形態では、ＤＬおよび／またはＵＬキャリアを活動化／非活動化するために、ＨＳ−ＳＣＣＨオーダーの単一のセット（またはセットの組み合わせ）を順に使用することができる。一例を図５について示すことができ、ここでは、状態５０５は、アクティブなキャリアＤＬ０およびＵＬ０を含み、コマンド「００１」はさらに、状態５１０でＤＬ１を活動化する。さらに、新しいオーダーのセット、「１０１」、「１１１」および「１００」を導入して、それぞれ状態５１５および５２０でキャリアＤＬ２、ＵＬ２、ＤＬ３、およびＵＬ３を活動化／非活動化することができる。この例では、ＤＬ１およびＵＬ１を活動化／非活動化するために既存の３ＧＰＰ  Ｒｅｌｅａｓｅ  ９のオーダー「００１」、「０１１」、および「０００」を使用できることに留意されたい。あるいは、すべての副キャリアが非活動化された基本状態５０５に戻すために、「０００」をどの状態でも使用することができる。
【００６５】
これから、グループ単位で実施された副キャリアを活動化／非活動化するための方法を開示する。別の実施形態では、単一の活動化／非活動化オーダーをキャリアグループ全体に適用できるように副キャリアのグループを定義することが提案される。グループ化は、上記で開示したグループ化方法のいずれかまたはその組み合わせを使用して確定することができる。
【００６６】
それらの方法では、ＵＴＲＡＮは、制御シグナリングのオーバーヘッドを減らせるように、キャリアのグループを同時に活動化または非活動化するための明示的な信号を送信することができる。上記で個々のキャリアの活動化／非活動化について定義したシグナリング機構をキャリアグループの活動化／非活動化の方法に適用することができる。
【００６７】
一例示的方法では、新規のＨＳ−ＳＣＣＨオーダータイプ、例えば（ｘodt,1、ｘodt,2、ｘodt,3）を使用して、活動化／非活動化オーダーが特定のキャリアグループに適用可能であることをＷＴＲＵに対してシグナリングすることができる。この例では、オーダータイプ「０１０」を使用して、その活動化／非活動化オーダーが、グループのダウンリンク１（ＧＤＬｌ）および／またはグループのアップリンク１（ＧＵＬＩ）に定義されたすべてのキャリアに適用できることをＷＴＲＵに対してシグナリングする。表７は、４ＤＬ＋２ＵＬキャリアの場合に、新規のＨＳ−ＳＣＣＨオーダータイプを使用したグループごとの活動化／非活動化の例示的な実現を示す。
【００６８】
【表７】
0005531023.tif 000008
【００６９】
別の例示的方法では、キャリアの非活動化にグループオーダーを使用することができ、キャリアの活動化は、上記で開示した個々のオーダーを通じて、すなわちキャリア単位で行うことができる。例えば、オーダービット「０００」を有する既存のオーダータイプ「００１」の範囲を、設定された全キャリアに対するオーダーとすることができる。そのように、ノードＢによるこのオーダーの送信を使用して、すべてのアクティブなＤＬおよびＵＬキャリアの非活動化をシグナリングすることができる。
【００７０】
別の実施形態では、単一のＨＳ−ＳＣＣＨオーダーを使用して、設定されたすべての副ＵＬキャリアおよび副ＤＬキャリアのいずれをも同時に活動化および／または非活動化することができる。オーダービットとの組み合わせのオーダータイプによって表される各ＨＳ−ＳＣＣＨオーダーは、設定されたすべての副ＵＬキャリアおよび副ＤＬキャリアについて１つの状態を指示し、オーダーと状態間のマッピングは、任意の順序であってよい。４ＤＬ＋１ＵＬ、４ＤＬ＋２ＵＬ、４ＤＬ＋３ＵＬ、および４ＤＬ＋４ＵＬ等、種々のキャリア設定を考えると、結果生じる活動化／非活動化キャリアの状態の合計数は、それぞれ８、１２、１８、および２７となる。これは、４ＤＬ＋１ＵＬキャリアは、３ビットのオーダーで表せるのに対し、これらに限定されないが、４ＤＬ＋２ＤＬ、４ＤＬ＋３ＵＬ、および４ＤＬ＋４ＵＬ等の複数のＵＬキャリアを持つ設定をサポートするには４ビット以上のオーダーが必要となる可能性があることを意味する。上記の実施形態では副キャリアのみをＨＳ−ＳＣＣＨオーダーで活動化／非活動化できると仮定していることに留意されたい。ただし、設定された全キャリアの同時の活動化／非活動化は、主要（ｐｒｉｍａｒｙ）ＤＬ／ＵＬキャリアを活動化／非活動化できる場合にも適用することができる。
【００７１】
単一ＵＬキャリアの設定では、現在指定されているＨＳ−ＳＣＣＨオーダーから３ビットオーダー（ｘord,1、ｘord,2、ｘord,3）を利用することができるので、副キャリアの活動化／非活動化に既存のオーダータイプ（ｘodt,1，ｘodt,2，ｘodt,3）＝‘００１’および３ビットオーダーを使用することができる。一例を表８に示し、ここでは、異なるＨＳ−ＳＣＣＨオーダーを使用して、活動化できるキャリアおよび／または非活動化できるキャリアを明示的に指示することができる。前出の表１の実施形態を上回るこの実施形態の利点は、単一のオーダーを使用してマルチキャリアを同時に活動化／非活動化できることである。実際のコマンドとビットのマッピングは表８に示すものと異なる形を取ってよいことを理解されたい。さらに、各コマンドに定義されるキャリア設定の実際の組み合わせは異なる形態をとってよいことも理解されたい。
【００７２】
【表８】
0005531023.tif 000009
【００７３】
複数ＵＬのキャリア設定の場合は、既存のオーダータイプおよび３ビットオーダーでは、結果として生じる活動化／非活動化キャリアの状態をマッピングするのに十分ではない可能性がある。これは、下記の方法の１つまたは組み合わせを使用して克服することができる。
【００７４】
第１の方法では、ＭＣ−ＨＳＰＡに新しいオーダータイプが定義される。現在のＨＳ−ＳＣＣＨオーダーの物理チャネルには３ビットのオーダータイプ（ｘodt,1、ｘodt,2、ｘodt,3）があり、８個のオーダータイプを表すことができる。Ｒｅｌｅａｓｅ  ９  ＤＣ−ＨＳＵＰＡでは、オーダータイプｘodt,1，ｘodt,2，ｘodt,3＝‘０００’、およびオーダータイプｘodt,1，ｘodt,2，ｘodt,3＝‘００１’の一部が使用される。２つ以上のＵＬキャリアが設定されたＭＣ−ＨＳＰＡで結果的に生じる活動化／非活動化の全キャリア状態をマッピングするために、より多くのコマンドを利用できるように、新しいオーダータイプを定義することができる。
【００７５】
例えば、４ＤＬおよび４ＵＬのキャリアをサポートするには、２７個の結果として生じるキャリア設定状態を、オーダータイプとオーダービットの組み合わせで命令する必要がありうる。３ビットのオーダータイプ（ｘodt,1、ｘodt,2、ｘodt,3）は、７個のオーダータイプを提供し、３ビットオーダー（ｘord,1、ｘord,2、ｘord,3）との組み合わせで十分なオーダーを作り出すことができる。表９は、４ＤＬおよび４ＵＬキャリアを有するＭＣ−ＨＳＰＡシステムの場合の予備（利用可能）コマンドと、結果生じるすべてのキャリア設定状態とのマッピングの一例を示す。実際のコマンドとビットのマッピングは表９に示すものと異なる形を取ってよいことを理解されたい。さらに、各コマンドに定義されるキャリアの実際の組み合わせは異なる形態をとりうることも理解されたい。
【００７６】
【表９】
0005531023.tif 000010
【００７７】
第２の方法では、オーダーの長さを増すことができる。これは、オーダータイプをオーダービットと再解釈することによって達成することができる。これにより、オーダービットの長さを３ビットから６ビットに増加することになるが、ここでオーダータイプからの３ビットと、オーダービットからの３ビットが足される。これにより４ＤＬ＋４ＵＬキャリアを完全にサポートすることができる。Ｒｅｌｅａｓｅ  ９  ＤＣ−ＨＳＵＰＡとの後方互換性（上位互換性とも称される）が維持されるかどうかに応じて、３ビットのオーダーと組み合わせたオーダータイプｘodt,1，ｘodt,2，ｘodt,3＝‘０００’をＭＣ−ＨＳＰＡの副キャリアの活動化および非活動化に使用できる場合も、できない場合もある。先に触れたように、これらは、Ｒｅｌｅａｓｅ  ９では、ＤＴＸ、ＤＲＸ、およびＨＳ−ＳＣＣＨ削減動作の活動化／非活動化およびＨＳＤＳＣＨサービングセルの変更に使用されていた。
【００７８】
代替的方法では、転送ブロックサイズ情報の一部と組み合わせた、予備の新規のデータ標識を、オーダータイプおよび／またはオーダーと再解釈することができる。ＨＳ−ＳＣＣＨオーダーにはＨＳ−ＰＤＳＣＨが関連付けられないので、６ビットの転送ブロックサイズ情報（ｘtbspb,1、ｘtbspb,2、．．．、ｘtbspb,6）の一部および／または１ビットの新規のデータ標識（ｘnd,1）を使用、または再解釈して、オーダーの長さを増すことができる。例えば、（ｘtbspb,5、ｘtbspb,6）およびｘnd,1を使用して、ＨＳ−ＳＣＣＨタイプ１についてのオーダーの長さを増すことができる。例として、ｘnd,1が使用される場合は、ＨＳ−ＳＣＣＨオーダー（ＨＳ−ＳＣＣＨタイプ１）についてはｘnd,1をｘord,4に設定することができる。別の例として、（ｘtbspb,4、ｘtbspb,5、ｘtbspb,6）が使用される場合は、ＨＳ−ＳＣＣＨオーダー（ＨＳ−ＳＣＣＨタイプ３）は、ｘtbspb,1，ｘtbspb,2，．．．，ｘtbspb,6となり、「１，１，１，ｘord,4，ｘord,5，ｘord,6」に設定することができる。再解釈されるビットは、オーダータイプまたはオーダーの任意のビットにマッピングできることが理解できよう。
【００７９】
代替実施形態では、新しいＨＳ−ＳＣＣＨタイプ、例えばタイプ４を導入して、ＷＴＲＵがマルチキャリアオペレーションまたはマルチキャリア（ＭＣ）モードに設定されたときにＨＳ−ＳＣＣＨオーダーを送信することができる。このＭＣモードステータスは、上位層から（例えばＲＲＣシグナリングを介して）明示的にシグナリングすることができる。ＨＳ−ＳＣＣＨタイプ４は、ＭＣ−ＨＳＰＡシステムで副キャリアを活動化／非活動化するために十分なオーダービットを提供するように構築することができる。
【００８０】
本明細書には、ＭＣ−ＨＳＰＡの場合に複数個のＨＳ−ＳＣＣＨオーダーをシグナリングする方法が開示される。ＨＳ−ＳＣＣＨオーダーはどのキャリアで送信してもよいため、例えば４ＤＬおよび４ＵＬキャリアを有するＭＣ−ＨＳＰＡで、キャリア単位（すなわち個々のキャリア単位、または事前に定義された、もしくは事前に指定された、もしくは事前に設定された対のキャリア単位）またはグループ単位で副キャリアを活動化／非活動化するための複数個のＨＳ−ＳＣＣＨオーダーを、複数のサービングセルがシグナリングすることができる。異なるオーダーは、異なるオーダータイプとオーダーを有する可能性がある。この方法は、制御シグナリングのオーバーヘッドを犠牲にして、５つ以上のＤＬおよびＵＬキャリアを有するＭＣ−ＨＳＰＡに適用することができる。
【００８１】
別の実施形態では、ＵＴＲＡＮは、各キャリアを、または各キャリアを別々に、活動化または非活動化するために明示的なＬ１信号を送信する。
【００８２】
第１の方法では、Ｌ１信号は、マルチキャリアに対する活動化／非活動化コマンドを搬送することが可能なＨＳ−ＳＣＣＨオーダーを含む。これは、例えば、ＨＳ−ＳＣＣＨオーダータイプビットの一部またはすべてを所与のキャリアにマッピングすることによって実施することができる。マッピングは、ネットワークによって設定されても、暗黙的であってもよい。あるいは、このＨＳ−ＳＣＣＨオーダーは、対象とするキャリアアドレスと組み合わせて単一の活動化／非活動化コマンドのみを搬送することもできる。例えば、これは、４つのキャリアの１つを指示するためにＨＳ−ＳＣＣＨオーダータイプの２ビットを用意し、残りのビットでキャリアの活動化または非活動化を指示することによって実施することができる。
【００８３】
第２の方法では、Ｌ１信号は、マルチキャリアの同時の活動化／非活動化をシグナリングするように、ビットフィールドが再解釈された拡張専用チャネル（Ｅ−ＤＣＨ）絶対グラントチャネル（Ｅ−ＡＧＣＨ）を含む。第３の方法では、Ｌ２またはＬ３のメッセージを使用して活動化および非活動化の明示的なコマンドを搬送する。
【００８４】
別の実施形態では、キャリアの活動化または非活動化は、ＷＴＲＵで暗黙的な規則によってトリガされる。トリガは、以下のパラメータに、個別に、または組み合わせて、基づくことができる。例えば、パラメータは、総合Ｅ−ＤＣＨバッファステータス（ＴＥＢＳ）等のバッファステータスとすることができる。パラメータは、アンカーセルで受信される転送ブロックサイズ、スケジューリング情報（ＳＩ）で示されるパワーヘッドルーム（ｐｏｗｅｒ  ｈｅａｄｒｏｏｍ）、もしくは受信信号コード電力（ＲＳＣＰ）で指示もしくは表される受信信号電力、受信信号強度標識（ＲＳＳＩ）、または他の同様の指標であってもよい。
【００８５】
ネットワークは、キャリアを活動化および非活動化するためのこれらトリガに異なる閾値を設定することができる。キャリアの活動化または非活動化がトリガされると、ＷＴＲＵは、以下のステップを、個別に、または任意の組み合わせおよび順序で行うことができる。
【００８６】
ＷＴＲＵは、Ｌ１、Ｌ２、またはＬ３を使用して、キャリアの活動化または非活動化の指示メッセージをネットワークにシグナリングすることができる。ＷＴＲＵは、指示メッセージの一部として、キャリアの活動化／非活動化をトリガした測定結果および／または要因を含めることができる。ＷＴＲＵは、指示メッセージの一部として、活動化／非活動化すべきキャリアのインデックスも含めることができる。
【００８７】
ＷＴＲＵは、ネットワークからの明示的な活動化または非活動化コマンドを待機することができる。１つの方法では、非活動化の指示である場合は、ＷＴＲＵは、自発的に対象キャリアを非活動化してよい。別の方法では、キャリア活動化の指示である場合は、ＷＴＲＵは、自発的にキャリアを活動化してよい。
【００８８】
補助キャリアが非活動化されると、その補助キャリアについてのチャネル品質指標（ＣＱＩ）のフィードバック報告を中断することができる。あるいは、ＣＱＩフィードバック報告は、レート（通信速度）を下げて送信してもよい。別の代替法では、ＣＱＩフィードバック報告は、Ｌ１高速専用物理制御チャネル（ＨＳ−ＤＰＣＣＨ）を使用する代わりに、例えばメディアアクセスチャネル（ＭＡＣ）ＭＡＣ−ｉヘッダでＬ２シグナリングを使用して、またはＬ３シグナリングを使用して、より低いレートで送信することができる。補助キャリアが活動化されると、ＣＱＩフィードバックを再開することができる。これらのＣＱＩ行動は、本明細書に開示されるすべての実施形態に適用可能である。
【００８９】
マルチキャリアオペレーションのために同じ周波数帯域内にマルチキャリアが設定されるとき、それらのキャリアは、隣接している場合も隣接していない場合もある。隣接するキャリアは、特定の技術に必要とされる帯域幅だけ間隔を空けることができる。例えば、ＷＣＤＭＡ  ＦＤＤでは、各キャリア間は、５ＭＨｚの間隔とすることができる。したがって、隣接するキャリアのキャリア周波数は、５ＭＨｚ間隔となる。一般に、Ｎ個の隣接するキャリアが設定される場合、隣接するキャリアは、合計Ｎ×５ＭＨｚの連続した帯域幅を占める。
【００９０】
ハードウェア制約のために、ＷＴＲＵによっては、同じ周波数帯域にある非隣接キャリアからの信号を同時に受信し、正常に復調することが難しい場合がある。ハードウェア制約には、信号のフィルタリングに関する制約が含まれうる。マルチキャリアオペレーションでは、３つ以上のキャリアがある場合、連続した活動化スペクトルを維持または保証するために、ＷＴＲＵのキャリア活動化／非活動化ステータスを制限する必要がある場合がある。
【００９１】
１つの周波数帯域内に非隣接キャリアを有することがＷＴＲＵでサポートされない場合、ＲＲＣは、その周波数帯域内の非隣接キャリアの設定を許可しないことができる。同様に、ノードＢは、１つまたは複数の設定キャリアの非活動化から非隣接キャリアを生じさせる可能性があるＨＳ−ＳＣＣＨオーダーを使用するように設定しない、または使用を許可しないことができる。
【００９２】
本明細書に記載されるＨＳ−ＳＣＣＨオーダー方式は、非隣接キャリアと隣接キャリア両方のシナリオを考慮する。本明細書に開示される方法は、隣接するキャリアのみを活動化するという制約を伴うマルチキャリアの活動化および非活動化にも使用することができる。これは、結果的に非隣接キャリアを生じさせるＨＳ−ＳＣＣＨオーダーを予備にすることによって行うことができる（すなわちそれらのＨＳ−ＳＣＣＨオーダーはノードＢで使用またはシグナリングしてはならない）。例えば、４ＤＬおよび１ＵＬキャリアのＭＣ−ＨＳＤＰＡの場合に、それらキャリアが一般性を失うことなくＤＬ０、ＤＬ１、ＤＬ２、ＤＬ３の順で隣接していると仮定して４個のＤＬ隣接キャリアが設定される場合、ＤＬ０／ＵＬ０を非活動化できないと仮定するときには、活動化／非活動化できるのはＤＬ３だけなので、表１のオーダー「０ｘｘ」（「ｘ」は０または１）は予備にすることができる。同様に、本明細書に開示されるキャリアを活動化／非活動化するＨＳ−ＳＣＣＨオーダーを設計するために使用される方法は、上記の隣接キャリアの制約がある場合にキャリアの活動化／非活動化をさらに最適化するために使用することができる。
【００９３】
さらに、サポートされないキャリアの活動化／非活動化の設定を招く設定メッセージを受信した際のＷＴＲＵの振る舞いの方法が、本明細書に開示される。一例では、ＷＴＲＵが、無効なキャリアの活動化／非活動化設定を生じさせるＨＳ−ＳＣＣＨオーダーを受信する。ＷＴＲＵは、無効なキャリアの活動化／非活動化設定を生じさせるＨＳ−ＳＣＣＨオーダーを受信した際には、以下の行動のいずれか１つまたは組み合わせを行うことができる。ＷＴＲＵは、そのＨＳ−ＳＣＣＨオーダーを無視し、自身の現在の設定を維持することができる。ＷＴＲＵは、そのＨＳ−ＳＣＣＨオーダーを無視し、非隣接キャリアがある周波数帯域内のすべての補助キャリアを無効にすることができる。ＷＴＲＵは、ＨＳ−ＤＰＣＣＨ上のＨＳ−ＳＣＣＨオーダーに対して応答することができる。ＷＴＲＵは、ＨＳ−ＤＰＣＣＨ上のＨＳ−ＳＣＣＨオーダーに対して肯定応答することができる。ＷＴＲＵは、ＨＳ−ＤＰＣＣＨ上のＨＳ−ＳＣＣＨオーダーに対して否定応答することができる。または、ＷＴＲＵは、ＨＳ−ＤＰＣＣＨ（ＤＴＸ）上のＨＳ−ＳＣＣＨオーダーに対して肯定応答も否定応答も行わないとしてもよい。
【００９４】
本明細書には、ＤＲＸおよびＤＴＸを活動化／非活動化し、ＤＲＸおよびＤＴＸ動作を処理するための実施形態が開示される。ＤＲＸ動作のためにＷＴＲＵを設定する方法が以下に記載される。ＷＴＲＵは、Ｌ３メッセージングを使用してネットワークによって設定することができる。
【００９５】
第１の実施形態では、ネットワークは、１つのＤＲＸパラメータセットでＷＴＲＵを設定し、ＷＴＲＵは、それらのＤＲＸパラメータをすべてのダウンリンクキャリアに暗黙的に適用する。別の実施形態では、ネットワークは、周波数帯域ごとに１つのＤＲＸパラメータセットを設定し、ＷＴＲＵは、同じ周波数帯域にあるすべてのダウンリンクキャリアに同じパラメータを適用する。さらに別の実施形態では、ネットワークは、各キャリアに１つのＤＲＸパラメータセットを別個に設定する。さらなる実施形態では、ネットワークは、各アンカーキャリアに１つのＤＲＸパラメータセットを設定する。この実施形態では、補助キャリア用のＤＲＸパラメータは、その補助キャリアに関連付けられたアンカーキャリアのＤＲＸパラメータと同じである。本明細書に開示される実施形態では、ＷＴＲＵが２つ以上の受信器チェーンを有する場合はネットワークによって第２のセットを設定することができる。
【００９６】
なお別の実施形態では、ネットワークは、ダウンリンクキャリアのグループごとに１つのＤＲＸパラメータセットを設定し、同じグループにあるすべてのキャリアは、同じＤＲＸパラメータを使用する。グループは、無線ベアラの確立／再設定時に無線リソース制御（ＲＲＣ）シグナリングを通じて事前設定しても、またはＷＴＲＵに事前設定してもよい。あるいは、ダウンリンクキャリアのグループは、ＷＴＲＵに同じ無線ネットワーク一時識別子が割り当てられているすべてのキャリアと定義することもできる。先に開示したグループ化方法を使用して適切なグループを決定することができる。
【００９７】
初期化時のＤＲＸステータスに関連する実施形態が本明細書に開示される。一実施形態では、ダウンリンクキャリアを設定するときにすべてのダウンリンクキャリアについてＤＲＸを非活動化することができる。あるいは、ネットワークは、ＤＲＸステータスを事前設定してもよく、そのＤＲＸステータスをダウンリンクキャリアのすべて、またはサブセットもしくはグループのみに適用することができる。別の代替法では、ネットワークは、各ダウンリンクキャリアに個別にＤＲＸステータスを設定することができる。
【００９８】
ＷＴＲＵでＤＲＸの活動化および非活動化をトリガするための実施形態が本明細書に開示される。一実施形態では、ネットワークは、ＤＲＸを活動化または非活動化するように明示的にＷＴＲＵにシグナリングすることができる。この活動化または非活動化メッセージは、１つの特定のキャリアまたはキャリアのグループを対象とすることができる。ＤＲＸの活動化および非活動化を明示的にシグナリングするために、ネットワークは、キャリアの活動化および非活動化についての上記で説明した手法を、キャリアの活動化／非活動化をＤＲＸの活動化／非活動化に置き換えることで使用することができる。
【００９９】
別の実施形態では、ＷＴＲＵは、キャリアのサブセットまたはグループに対してＤＲＸを暗黙的に活動化または非活動化することができる。活動化または非活動化のトリガは、例えば以下の測定値の１つまたは組み合わせに基づくことができる。１つの測定値は、所与の期間にわたるダウンリンクの稼動状況（ｄｏｗｎｌｉｎｋ  ａｃｔｉｖｉｔｙ）である。別の測定値は、所与の期間にわたるダウンリンクのデータレート(データ転送速度)である。さらに別の測定値は、報告されるＣＱＩである。さらに他の測定値は、共通パイロットチャネル（ＣＰＩＣＨ）の測定値、ＲＳＣＰ、ＲＳＳＩ等の無線電力の測定値である。これらの測定値は、１つまたは数個のキャリアについて行うことができ、平均することができる。
【０１００】
ネットワークは、上記測定値の１つまたは複数に基づいて、ＤＲＸに入る閾値（ＤＲＸ−ｉｎ）およびＤＲＸを出る閾値（ＤＲＸ−ｏｕｔ）を設定することができる。ＤＲＸがアクティブでなく、実際の測定値が閾値ＤＲＸ−ｉｎに達すると、ＷＴＲＵは、関連付けられたキャリアまたはキャリアのグループにＤＲＸを適用することができる。同様に、ＤＲＸが活動化されており、実際の測定値が閾値ＤＲＸ−ｏｕｔに達すると、ＷＴＲＵは、関連付けられたキャリアまたはキャリアのグループに対してＤＲＸを非活動化することができる。
【０１０１】
ＤＲＸの暗黙的な活動化および非活動化のために、ＷＴＲＵは、ステータス（状態）の変化をネットワークにシグナリングすることができる。したがって、ＤＲＸが活動化されると、ＷＴＲＵは、メッセージを送信してステータスの変化をネットワークに知らせることができる。このメッセージは、以下の情報の１つまたは組み合わせを含むことができる。関係するキャリアのインデックスもしくは基準（ｒｅｆｅｒｅｎｃｅ）、ステータスの変化をトリガした測定値、変化の要因、活動化の時刻、または新しいステータス。
【０１０２】
本明細書には、キャリアの活動化時のＤＲＸ動作に関するＷＴＲＵの行動が開示される。ＷＴＲＵが１つまたは複数のキャリアを活動化すると、ＷＴＲＵは、以下の行動の１つまたは組み合わせを行うことができる。１つの方法では、ＷＴＲＵは、キャリアのＤＲＸステータスを非活動化する前のステータスに戻すことができる。別の方法では、ＷＴＲＵは、キャリアのＤＲＸステータスをアンカーキャリアと同じステータスに設定することができる。さらに別の方法では、ＷＴＲＵは、キャリアのＤＲＸステータスを、同じ周波数帯域にあるアンカーキャリアと同じステータスに設定することができる。さらに別の方法では、ＷＴＲＵは、キャリアのＤＲＸステータスを、同じ周波数帯域の他のキャリアと同じステータスに設定することができる。さらなる方法では、ＷＴＲＵは、ＤＲＸステータスを「アクティブ」に設定することができる。なおさらなる方法では、ＷＴＲＵは、ＤＲＸステータスを「非アクティブ」に設定することができる。別の方法では、ＷＴＲＵは、すべてのキャリアについてＤＲＸを非活動化することができる。さらに別の方法では、ＷＴＲＵは、新しく活動化されたキャリアと同じ帯域にあるすべてのキャリアについてＤＲＸを非活動化することができる。さらに別の方法では、ＷＴＲＵは、すべてのキャリアにＤＲＸを活動化することができる。さらなる方法では、ＷＴＲＵは、新しく活動化されたキャリアと同じ周波数帯域にあるすべてのキャリアについてＤＲＸを非活動化することができる。
【０１０３】
本明細書には、キャリアの非活動化時のＤＲＸ動作に関するＷＴＲＵの行動が開示される。ＷＴＲＵは、１つまたは複数のキャリアを非活動化すると、以下の行動の１つまたは組み合わせを行うことができる。１つの方法では、ＷＴＲＵは、残りのアクティブなキャリアのすべてまたはグループについてＤＲＸを活動化することができる。例えば、ＷＴＲＵは、キャリアの非活動化を、ローアクティブ状態（ｌｏｗ−ａｃｔｉｖｉｔｙ  ｓｔａｔｅ）への遷移または低電力モードへの移行と解釈する。別の方法では、ＷＴＲＵは、残りのアクティブキャリアのすべてまたはグループについてＤＲＸを非活動化することができる。例えば、ＷＴＲＵは、キャリアの非活動化を、トラフィック活動を変化させずに電力を節減する手段と解釈することができる。
【０１０４】
本明細書には、マルチキャリアのシナリオでＨＳＤＰＡの肯定応答および否定応答（ＡＣＫ／ＮＡＣＫ）フィードバックを処理するための実施形態が開示される。現行のシステムでは、多入力多出力（ＭＩＭＯ）のＨＳＤＰＡまたはＤＣ−ＨＳＤＰＡにおける肯定応答および否定応答（ＡＣＫ／ＮＡＣＫ）フィードバックは、ＨＳ−ＤＰＣＣＨのハイブリッド自動再送要求（ＨＡＲＱ）ＨＡＲＱ−ＡＣＫフィールドで事前定義された署名（ｓｉｇｎａｔｕｒｅ）を送信することからなることができる。この方法では、可能なＡＣＫ／ＮＡＣＫ／ＤＴＸ事象の組み合わせごとに１つの署名がある。
【０１０５】
一実施形態では、ＡＣＫ／ＮＡＣＫ情報は、図６に示すように、変調された署名の重畳(重ね合わせ)を使用することによって送信される。設定されたキャリアごとに１つの署名があることができる。Ｎ個の署名は直交することができる。ＡＣＫ−ＮＡＣＫのｘの入力は、それぞれＡＣＫ、ＮＡＣＫ、およびＤＴＸを表す値＋１、−１および０を取ることができる。あるいは、ＡＣＫの値とＮＡＣＫの値を逆にしてもよい。別の代替法では、ＡＣＫおよびＮＡＣＫの振幅を１（ｕｎｉｔｙ）とは異なる値に設定することができる。この設定もＵＴＲＡＮによってシグナリングすることができる。
【０１０６】
送信されたすべての署名を合計した結果は、係数ΔMC-ACK-NACKで調整することができる。この係数は、ＵＴＲＡＮにより事前定義または設定することができる。あるいは、このスケール係数は、送信されたＡＣＫ／ＮＡＣＫの数に依存してもよい。信号に誘発される潜在的なさらなるひずみを補償するためにより多い署名が同時に存在するときには、より多くの電力をＡＣＫ／ＮＡＣＫに割り当てることができる。
【０１０７】
代替的実施形態では、スケール係数ΔMC-ACK-NACKの値は、送信された非ゼロのＡＣＫ−ＮＡＣＫ値の数Ｎｎｚに基づいて、事前定義された規則で決定することができる。例えば、追加的な非ゼロのＡＣＫ−ＮＡＣＫが送信されるたびに、追加的なΔｎｚ（単位ｄＢ）がスケール係数に足され、Δｎｚは、ＵＴＲＡＮによってシグナリングされるか、仕様に事前に設定される。
【０１０８】
第２の代替的実施形態では、スケール係数と非ゼロのＡＣＫ−ＮＡＣＫの数をマッピングしたルックアップテーブルを事前定義するか、ＵＴＲＡＮによってシグナリングすることができる。
【０１０９】
マルチキャリアの活動化／非活動化および動作について本明細書に開示される実施形態は、マルチキャリアの高速パケットアクセス（ＨＳＰＡ）および高速ダウンリンクパケットアクセス（ＨＳＤＰＡ）に関して説明するが、実施形態は、それらのキャリア設定以外のシステムおよび他のマルチキャリアシステムに適用可能である。
【０１１０】
上記の説明はＨＳＰＡおよびＨＳＤＰＡに関して開示したものであるが、任意のワイヤレス環境にも適用することが可能である。例えば、図７に、拡張ユニバーサル地上波無線アクセスネットワーク（Ｅ−ＵＴＲＡＮ）７０５を含むロングタームエボリューション（ＬＴＥ）ワイヤレス通信システム／アクセスネットワーク７００を示す。Ｅ−ＵＴＲＡＮ７０５は、ＷＴＲＵ７１０および数個の拡張ノードＢ（ｅＮＢｓ）７２０を含む。ＷＴＲＵ７１０は、ｅＮＢ７２０と通信する。ｅＮＢ７２０は、Ｘ２インタフェースを使用して互いにインタフェースをとる。各ｅＮＢｓ７２０は、Ｓ１インタフェースを通じて移動管理エンティティ（ＭＭＥ）／サービングゲートウェイ（Ｓ−ＧＷ）７３０とのインタフェースをとる。図７には単一のＷＴＲＵ７１０および３つのｅＮＢ７２０を示すが、ワイヤレス通信システムアクセスネットワーク７００にはワイヤレスデバイスおよび有線デバイスの任意の組み合わせが含まれてよいことは明らかであろう。
【０１１１】
図８は、ＷＴＲＵ７１０、ｅＮＢ７２０、およびＭＭＥ／Ｓ−ＧＷ７３０を含むＬＴＥワイヤレス通信システム７００の例示的ブロック図である。図８に示すように、ＷＴＲＵ７１０、ｅＮＢ７２０、およびＭＭＥ／Ｓ−ＧＷ７３０は、直接リンク通信の安全性を強化するように構成される。
【０１１２】
典型的なＷＴＲＵに見られる構成要素に加えて、ＷＴＲＵ７１０は、オプションのリンクされたメモリ８２２を備えるプロセッサ８１６、少なくとも１つの送受信器８１４、オプションのバッテリ８２０、およびアンテナ８１８を備える。プロセッサ８１６は、直接リンク通信の安全性を強化するように構成される。送受信器８１４は、プロセッサ８１６およびアンテナ８１８と通信状態にあってワイヤレス通信の送受信を容易にする。ＷＴＲＵ７１０でバッテリ８２０が使用される場合は、バッテリ８２０が送受信器８１４およびプロセッサ８１６に電力を供給する。
【０１１３】
典型的なｅＮＢに見られる構成要素に加えて、ｅＮＢ７２０は、オプションのリンクされたメモリ８１５を備えるプロセッサ８１７、送受信器８１９、およびアンテナ８２１を備える。プロセッサ８１７は、直接リンク通信の安全性を強化するように構成される。送受信器８１９は、プロセッサ８１７およびアンテナ８２１と通信状態にあってワイヤレス通信の送受信を容易にする。ｅＮＢ７２０は、オプションのリンクされたメモリ８３４を有するプロセッサ８３３を備える移動管理エンティティ／サービングゲートウェイ（ＭＭＥ／Ｓ−ＧＷ）７３０に接続されている。
【０１１４】
（実施形態）
１．高速パケットアクセス（ＨＳＰＡ）システムで１つの無線機でマルチキャリアを使用する方法であって、
単一のＨＳ−ＤＳＣＨトランスポートチャネルを受信するステップであって、ＨＳ−ＤＳＣＨトランスポートチャネルに関連付けられるキャリアは、サブフレーム単位で動的に変更される、ステップと、
アンカーキャリアからのダウンリンク制御チャネルのサブセットを処理するステップと
を含む方法。
【０１１５】
２．上記ダウンリンク制御チャネルのサブセットは、アップリンク送信を制御する実施形態１の方法。
【０１１６】
３．上記ダウンリンク制御チャネルのサブセットは、フラクショナルダウンリンク物理チャネル（Ｆ−ＤＰＣＨ）、拡張絶対グラントチャネル（Ｅ−ＡＧＣＨ）、拡張相対グラントチャネル（Ｅ−ＲＧＣＨ）、および拡張ＨＡＲＱ指標チャネル（Ｅ−ＨＩＣＨ）を含む上記実施形態のいずれか１つの方法。
【０１１７】
４．キャリアの変更を行うステップをさらに含む上記実施形態のいずれか１つの方法。
【０１１８】
５．上記キャリアの変更は、所定のパターンまたは上位層からシグナリングされるパターンに従う上記実施形態のいずれか１つの方法。
【０１１９】
６．上記各キャリアは、１つおきのサブフレームに使用されるか、または各キャリアは、２つの連続したサブフレームに交互に使用される上記実施形態のいずれか１つの方法。
【０１２０】
７．上記各キャリアは、等しい頻度で使用されることを必要としない上記実施形態のいずれか１つの方法。
【０１２１】
８．上記キャリアの変更は、さまざまな時に行われる上記実施形態のいずれか１つの方法。
【０１２２】
９．上記アンカーキャリアのいくつかのチャネルからの情報は、基地局がそれらのチャネルのキャリア周波数をも切り替えない限り、サブフレームの一部分しかリッスンすることができないため、特定のサブフレームについては失われる上記実施形態のいずれか１つの方法。
【０１２３】
１０．非アンカーキャリアへのキャリアの切り替えは、ＨＳ−ＳＣＣＨサブフレームの境界で発生し、後続のＨＳ−ＰＤＳＣＨサブフレームの終わりで元に切り替わる上記実施形態のいずれか１つの方法。
【０１２４】
１１．上記キャリアの切り替えは、ＨＳ−ＰＤＳＣＨサブフレームの境界で発生する上記実施形態のいずれか１つの方法。
【０１２５】
１２．上記ＨＳ−ＳＣＣＨサブフレームとそれに対応するＨＳ−ＰＤＳＣＨサブフレームとの間に２スロット分のオフセットがあるという条件で、ＨＳ−ＳＣＣＨは、ＨＳ−ＳＣＣＨサブフレームの最初の２スロットについては切り替え前のキャリアで受信され、ＨＳ−ＳＣＣＨの最後のスロットは、切り替え後のキャリアで受信される実施形態１１の方法。
【０１２６】
１３．ガード区間が各キャリア切り替え事象の前に含まれる上記実施形態のいずれか１つの方法。
【０１２７】
１４．上記ガード区間が、単一のキャリアが新しく選択されたキャリアに同調および同期することを可能にする上記実施形態のいずれか１つの方法。
【０１２８】
１５．上記ガード区間中は基地局からの制御メッセージまたはデータメッセージは受信されない上記実施形態のいずれか１つの方法。
【０１２９】
１６．上記ガード区間が１無線スロットの継続時間を有する上記実施形態のいずれか１つの方法。
【０１３０】
１７．上記ＷＴＲＵが、セル固有である特定のガード区間で設定されている上記実施形態のいずれか１つの方法。
【０１３１】
１８．上記ダウンリンク制御チャネルのタイミングまたは振る舞いが、ガード区間を占めるように変更される上記実施形態のいずれか１つの方法。
【０１３２】
１９．上記Ｅ−ＨＩＣＨが厳格なタイミング要件を有するため、Ｅ−ＨＩＣＨのタイミングまたは振る舞いが変更される実施形態１８の方法。
【０１３３】
２０．上記Ｅ−ＨＩＣＨがガード期間中に移っていることを基地局が認識したとき、Ｅ−ＨＩＣＨは、より高い電力で基地局から送信される実施形態１８〜１９のいずれか１つの方法。
【０１３４】
２１．上記ＷＴＲＵは、ガード区間中ではＥ−ＨＩＣＨが期待できないことを知っているため、Ｅ−ＨＩＣＨの欠落をＮＡＣＫと解釈し、ＷＴＲＵは、ＨＡＲＱの再送を行う実施形態１８〜２０のいずれか１つの方法。
【０１３５】
２２．対象ＨＡＲＱプロセスに許可されたＨＡＲＱ再送の最大回数に関係なく、追加的なＨＡＲＱ再送が行われる実施形態２１の方法。
【０１３６】
２３．上記ＷＴＲＵは、対応するＥ−ＨＩＣＨがガード区間中に移っていることを知ったとき、ＨＡＲＱプロセスでは送信を行わない実施形態１８〜２０のいずれか１つの方法。
【０１３７】
２４．すべてのキャリアのチャネル品質指標（ＣＱＩ）を報告するステップをさらに含む上記実施形態のいずれか１つの方法。
【０１３８】
２５．上記ＣＱＩは、各ＨＳ−ＤＰＣＣＨサブフレームで１つのキャリアに対して報告される実施形態２４の方法。
【０１３９】
２６．上記ＣＱＩが報告されるキャリアは、何ミリ秒か後または前に受信されるＨＳ−ＰＤＳＣＨサブフレームのパターンに従ってＷＴＲＵが受信しているキャリアである実施形態２４〜２５のいずれか１つの方法。
【０１４０】
２７．上記ＣＱＩは、対応するキャリアで何ミリ秒か前に受信されたサブフレーム中のＣＰＩＣＨを側定することによって評価される上記実施形態のいずれか１つの方法。
【０１４１】
２８．上記ＣＱＩは、各ＨＳ−ＤＰＣＣＨサブフレームで２つ以上のキャリアについて報告される上記実施形態のいずれか１つの方法。
【０１４２】
２９．上記ＷＴＲＵは、対応するＥ−ＡＧＣＨ、Ｅ−ＲＧＣＨ、またはＥ−ＨＩＣＨサブフレームが受信されないサブフレーム中は、Ｅ−ＤＣＨを使用した送信を行わない、上記実施形態のいずれか１つの方法。
【０１４３】
３０．上記ＷＴＲＵは、対応するＥ−ＡＧＣＨサブフレームが受信されないサブフレーム中には、Ｅ−ＤＣＨで非スケジュール伝送を送信する上記実施形態のいずれか１つの方法。
【０１４４】
３１．上記ＷＴＲＵは、Ｅ−ＨＩＣＨサブフレームが受信されないときには、ＨＡＲＱ  ＮＡＣＫがＥ−ＨＩＣＨで送信されたかのように、ＭＡＣ−ｅまたはＭＡＣ−ｉ  ＰＤＵを再送する実施形態３０の方法。
【０１４５】
３２．上記ＷＴＲＵは、ＦＤＰＣＨが特定スロット数前に受信された場合は、ＤＰＣＣＨ、ＨＳ−ＤＰＣＣＨ、Ｅ−ＤＰＣＣＨ、またはＥ−ＤＰＤＣＨを送信する上記実施形態のいずれか１つの方法。
【０１４６】
３３．すべてのキャリアにわたって８個のＨＡＲＱプロセスを使用することができ、かつ異なるキャリアでＨＡＲＱ再送が許可されるようにＭＡＣ層のアーキテクチャが構成される上記実施形態のいずれか１つの方法。
【０１４７】
３４．高速パケットアクセス（ＨＳＰＡ）システムで２つの無線と共にマルチキャリアを使用するためにワイヤレス送受信ユニット（ＷＴＲＵ）内で使用するための方法であって、
２つ以上のＨＳ−ＤＳＣＨトランスポートチャネルを受信するステップであって、ＨＳ−ＤＳＣＨトランスポートチャネルに関連付けられるキャリアは、サブフレーム単位で動的に変更される、ステップと、
アンカーキャリアからのダウンリンク制御チャネルのサブセットを処理するステップと
を含む方法。
【０１４８】
３５．ダウンリンク制御チャネルのサブセットが、アップリンク送信を制御する実施形態３４の方法。
【０１４９】
３６．上記ダウンリンク制御チャネルのサブセットは、フラクショナルダウンリンク物理チャネル（Ｆ−ＤＰＣＨ）、拡張絶対グラントチャネル（Ｅ−ＡＧＣＨ）、拡張相対グラントチャネル（Ｅ−ＲＧＣＨ）、および拡張ＨＡＲＱ指標チャネル（Ｅ−ＨＩＣＨ）を含む実施形態３４〜３５のいずれか１つの方法。
【０１５０】
３７．上記アンカーキャリアからのＦ−ＤＰＣＨ、Ｅ−ＡＧＣＨ、Ｅ−ＲＧＣＨ、Ｅ−ＨＩＣＨを常時監視するステップをさらに含む、実施形態３４〜３６のいずれか１つの方法。
【０１５１】
３８．Ｎｃ個の上記ＨＳ−ＤＳＣＨトランスポートチャネルとキャリアの周波数とのマッピングに従って、２つ以上（Ｎｃ個）のキャリアでＨＳ−ＳＣＣＨおよびＨＳ−ＰＤＳＣＨを監視（モニタリング）するステップをさらに含む実施形態３４〜３７のいずれか１つの方法。
【０１５２】
３９．上記アンカーキャリアは、すべてのダウンリンク（ＤＬ）制御チャネルが送信されるキャリア周波数である実施形態３４〜３８のいずれか１つの方法。
【０１５３】
４０．上記ＷＴＲＵ中の受信器の１つが、常にアンカーキャリア周波数に同調されて制御チャネルの適正な受信を保証する実施形態３４〜３９のいずれか１つの方法。
【０１５４】
４１．上記ＷＴＲＵ中の受信器の１つが、ＨＳ−ＤＳＣＨトランスポートチャネルでＤＬトラフィックを受信するために、所与のときにいずれか他のキャリア周波数に同調される実施形態３４〜４０のいずれか１つの方法。
【０１５５】
４２．Ｎｃキャリア情報を基地局から受信するステップをさらに含み、受信されたその情報を使用して少なくともＣＰＩＣＨ情報、Ｈ−ＲＮＴＩ、ＨＳＳＣＣＨ、周波数情報、および／または任意の他の必要パラメータを設定する、実施形態３４〜４１のいずれか１つの方法。
【０１５６】
４３．上記Ｎｃキャリア情報は、無線リソース制御（ＲＲＣ）接続が確立したとき、またはＷＴＲＵがＣＥＬＬ＿ＤＣＨ状態に遷移したときに、受信される実施形態４２の方法。
【０１５７】
４４．キャリアの変更を行うステップをさらに含む、実施形態３４〜４３のいずれか１つの方法。
【０１５８】
４５．上記キャリアの変更は、所定のパターン、または上位層からシグナリングされるパターンに従う、実施形態３４〜４４のいずれか１つの方法。
【０１５９】
４６．上記アンカーキャリアのキャリア周波数にマッピングされた少なくとも１つのＨＳ−ＤＳＣＨがある実施形態３４〜４５のいずれか１つの方法。
【０１６０】
４７．上記キャリア切り替えのスケジューリングが基地局によって制御される実施形態３４〜４６のいずれか１つの方法。
【０１６１】
４８．上記ＷＴＲＵのスケジューリングは、アンカーセルのＨＳ−ＳＣＣＨを使用して制御され、ＷＴＲＵにシグナリングされる実施形態４７の方法。
【０１６２】
４９．上記ＨＳ−ＳＣＣＨは、キャリア番号を明示的に指示し、かつキャリアのインデックスを提供するための追加的なビットを含む実施形態４７〜４８のいずれか１つの方法。
【０１６３】
５０．上記ＷＴＲＵは、異なるＨ−ＲＮＴＩを使用して暗黙的にシグナリングされるキャリア情報を受信し、ＨＳ−ＰＤＳＣＨを監視すべきキャリアを決定する実施形態４７〜４９のいずれか１つの方法。
【０１６４】
５１．上記ＷＴＲＵは、ＨＳ−ＳＣＣＨコード番号を使用してキャリア情報を受信する実施形態４７〜５０のいずれか１つの方法。
【０１６５】
５２．上記ＷＴＲＵは、ＨＡＲＱプロセス番号を使用してキャリア情報を受信し、ＨＡＲＱプロセスは、キャリアごとに割り振られ、ＨＳ−ＳＣＣＨでシグナリングされるＨＡＲＱプロセスに依存する実施形態４７〜５１のいずれか１つの方法。
【０１６６】
５３．上記ＷＴＲＵは、アンカーセルのＨＳ−ＳＣＣＨを監視し、指示されたキャリアのＨＳＰＤＳＣＨに直接移動する実施形態４７〜５２のいずれか１つの方法。
【０１６７】
５４．上記ＨＳ−ＳＣＣＨは、正確なデータ受信を保証するためにｘ個のＴＴＩまたはスロットの情報を示し、ｘは、ゼロに等しいか、または所定の値もしくはネットワークによってシグナリングされた任意の値とすることができる実施形態３４〜５３のいずれか１つの方法。
【０１６８】
５５．上記ネットワークが異なるタイミング要件を設定した場合は、上記ＷＴＲＵは、ＨＳ−ＳＣＣＨの受信後にキャリアＮｃのｘ個のスロットまたはＴＴＩでＨＳ−ＰＤＳＣＨを監視する実施形態３４〜５４のいずれか１つの方法。
【０１６９】
５６．ＨＳ−ＳＣＣＨ  Ｐａｒｔ  １は、上記ＷＴＲＵが新しいキャリアに直接切り替わることが可能なときに、明示的なシグナリングのためのキャリア情報を含む実施形態５５の方法。
【０１７０】
５７．ＨＳＳＣＣＨ  Ｐａｒｔ  ２は、ＷＴＲＵが適用可能ＨＳ−ＰＤＳＣＨコードを監視するためにＷＴＲＵに適用される遅延があるときには、明示的なシグナリングのためのキャリア情報を含む実施形態５５〜５６のいずれか１つの方法。
【０１７１】
５８．上記ＷＴＲＵは、アンカーセルのＨＳ−ＰＤＳＣＨおよびその他のキャリアのいずれかのＨＳ−ＰＤＳＣＨでスケジュールされる実施形態３４〜５７のいずれか１つの方法。
【０１７２】
５９．上記ＷＴＲＵは、２つのＨ−ＲＮＴＩを使用してスケジュールされ、一方のＨ−ＲＮＴＩは、アンカーセルに使用され、他方のＨ−ＲＮＴＩはその他のキャリアに使用される実施形態５８の方法。
【０１７３】
６０．上記ＷＴＲＵは、ＨＳ−ＳＣＣＨコードの２つのセットを使用してスケジュールされる実施形態５８の方法。
【０１７４】
６１．上記ＷＴＲＵは、ＨＡＲＱプロセスの２つのセットを使用してスケジュールされる実施形態５８の方法。
【０１７５】
６２．明示的なキャリアシグナリングが使用されるとき、上記ＷＴＲＵは、２つの異なるＨＳＳＣＣＨコードを使用して同じＴＴＩの２つのキャリアでスケジュールされる実施形態５８の方法。
【０１７６】
６３．上記基地局の制御により、より緩慢な動的切り替えを行うステップをさらに含む実施形態３４〜６２のいずれか１つの方法。
【０１７７】
６４．上記基地局は、アンカーセルでＬ１またはＬ２シグナリングを使用してより緩慢な切り替えを制御する実施形態６３の方法。
【０１７８】
６５．上記基地局は、ＷＴＲＵが監視している他のセルのいずれかで緩慢な切り替えを制御する実施形態６３の方法。
【０１７９】
６６．ＨＳ−ＳＣＣＨオーダーが基地局によって使用されて、ＷＴＲＵの切り替え先とすべきキャリアを指示する実施形態６３〜６５のいずれか１つの方法。
【０１８０】
６７．キャリア切り替えオーダーを受信するステップをさらに含み、キャリア切り替えオーダーおよび他の情報ビットを使用して、ＷＴＲＵが利用可能な受信器で監視を開始すべきキャリア番号を指示する実施形態３４〜６６のいずれか１つの方法。
【０１８１】
６８．オーダーの受信からｘスロットに、またはＴＴＩ後に、指示されたキャリアに、切り替えるステップをさらに含み、ｘは、０、または他の事前定義またはその設定された値とすることができる実施形態３４〜６７のいずれか１つの方法。
【０１８２】
６９．データ情報を求めて、指示されたキャリア（Ｎｃ）のＨＳ−ＳＣＣＨを監視するステップをさらに含む実施形態３４〜６８のいずれか１つの方法。
【０１８３】
７０．上記アンカーセルまたは補助セルで別のオーダーが受信されるまでキャリアＮｃのＨＳ−ＳＣＣＨおよびＨＳ−ＰＤＳＣＨを監視するステップをさらに含む実施形態３４〜６９のいずれか１つの方法。
【０１８４】
７１．ＨＳ−ＳＣＣＨオーダーを使用してキャリアの変更を指示し、補助セルでＨＳ−ＳＣＣＨオーダーが提供される実施形態３４〜７０のいずれか１つの方法。
【０１８５】
７２．上記ＷＴＲＵは、キャリアごとにＨ−ＲＮＴＩを有して構成される実施形態３４〜７１のいずれか１つの方法。
【０１８６】
７３．上記ＷＴＲＵは、指示されたキャリアに移動するとき、対応するＨ−ＲＮＴＩのＨＳ−ＳＣＣＨを監視する実施形態３４〜７２のいずれか１つの方法。
【０１８７】
７４．共通のＨ−ＲＮＴＩがすべての補助キャリアに割り当てられる実施形態３４〜７３のいずれか１つの方法。
【０１８８】
７５．Ｌ２メッセージが基地局によって使用されてキャリアの変更を指示する実施形態３４〜７４のいずれか１つの方法。
【０１８９】
７６．２つの無線機の１つが恒久的にアンカーキャリアに同調され、第２の無線機は、１つの補助キャリアから別の補助キャリアに動的に同調される実施形態３４〜７５のいずれか１つの方法。
【０１９０】
７７．各キャリアは、ＷＴＲＵがその間にＣＱＩの測定結果および報告を許される対応するサブフレーム番号を有し、ネットワークは、ＣＱＩがフィードバックチャネルで報告されるキャリアを認識している実施形態３４〜７６のいずれか１つの方法。
【０１９１】
７８．データが受信されるキャリアと報告との間の厳格なタイミングが定義される実施形態３４〜７７のいずれか１つの方法。
【０１９２】
７９．上記ＨＳ−ＤＰＣＣＨのＣＱＩフォーマットがキャリア番号を明示的に示すように変更される実施形態３４〜７８のいずれか１つの方法。
【０１９３】
８０．上記ＷＴＲＵは、キャリアからデータを受信する際にＣＱＩを測定結果および報告する実施形態３４〜７９のいずれか１つの方法。
【０１９４】
８１．上記ＷＴＲＵは、複数の補助キャリアの１つまたは複数を動的に活動化および非活動化するように構成される上記実施形態のいずれか１つの方法。
【０１９５】
８２．ＨＳ−ＳＣＣＨオーダーを使用して補助キャリアの活動化および非活動化を個別に制御するようにＵＭＴＳ地上波無線アクセスネットワーク（ＵＴＲＡＮ）が構成される実施形態８１の方法。
【０１９６】
８３．上記ＨＳ−ＳＣＣＨオーダーが活動化および非活動化すべきキャリアの指示を搬送するように構成される実施形態８２の方法。
【０１９７】
８４．活動化および非活動化すべきキャリアの指示は、付随する物理層メッセージで搬送される実施形態８１の方法。
【０１９８】
８５．オーダータイプビットがｘodt,1、ｘodt,2、ｘodt,3と表記され、オーダービットがｘord,1、ｘord,2、ｘord,3と表記される上記実施形態のいずれか１つの方法。
【０１９９】
８６．オーダータイプｘodt,1，ｘodt,2，ｘodt,3＝‘０１０’の場合、オーダーは、ｘord,1、ｘord,2、ｘord,3で指示される補助キャリアインデックスに対する活動化オーダーである実施形態８５の方法。
【０２００】
８７．オーダータイプｘodt,1，ｘodt,2，ｘodt,3＝‘０１１’の場合、オーダーは、ｘord,1、ｘord,2、ｘord,3で指示される補助キャリアインデックスに対する非活動化オーダーである実施形態８５〜８６のいずれか１つの方法。
【０２０１】
８８．オーダータイプｘodt,1，ｘodt,2，ｘodt,3＝‘０１０’の場合、オーダーマッピングは、ｘord,1＝１と定義され、補助キャリア１が活動化される実施形態８５の方法。
【０２０２】
８９．ｘord,1＝０の場合は補助キャリア１が非活動化される実施形態８８の方法。
【０２０３】
９０．ｘord,2＝０の場合は補助キャリア２が非活動化される実施形態８８〜８９のいずれか１つの方法。
【０２０４】
９１．ｘord,3＝１の場合は補助キャリア３が活動化される実施形態８８〜９０のいずれか１つの方法。
【０２０５】
９２．ｘord,3＝０の場合は補助キャリア３が非活動化される実施形態８８〜９１のいずれか１つの方法。
【０２０６】
９３．補助キャリアが非活動化されると、そのキャリアについてのＣＱＩフィードバック報告が中断される実施形態８８〜９２のいずれか１つの方法。
【０２０７】
９４．補助キャリアが活動化されると、ＣＱＩフィードバックを再開することができる実施形態８８〜９３のいずれか１つの方法。
【０２０８】
９５．ＨＳ−ＤＰＣＣＨのＨＡＲＱ−ＡＣＫフィールドで事前定義された署名を送信するステップをさらに含む上記実施形態のいずれかの方法。
【０２０９】
９６．変調された署名の重畳を使用して肯定応答／否定応答（ＡＣＫ／ＮＡＣＫ）情報が送信される上記実施形態のいずれかの方法。
【０２１０】
９７．ＡＣＫの値とＮＡＣＫの値が反転されている実施形態９６の方法。
【０２１１】
９８．すべての送信された署名の合計が行われ、その合計が係数ΔＭＣ−ＡＣＫ−ＮＡＣＫで調整（縮小または拡大）される実施形態９６〜９７のいずれか１つの方法。
【０２１２】
９９．上記スケール係数ΔＭＣ−ＡＣＫ−ＮＡＣＫの値は、送信された非ゼロのＡＣＫ−ＮＡＣＫ値の数に基づいて、事前定義された規則によって決定される実施形態９６〜９８のいずれか１つの方法。
【０２１３】
１００．上記スケール係数と非ゼロのＡＣＫ−ＮＡＣＫの数とをマッピングしたルックアップテーブルが事前定義されるか、またはＵＴＲＡＮによってシグナリングされる実施形態９９の方法。
【０２１４】
１０１．上記スケール係数と非ゼロのＡＣＫ−ＮＡＣＫの数をマッピングしたルックアップテーブルがネットワークによってシグナリングされる実施形態９９の方法。
【０２１５】
１０２．ダウンリンクのマルチキャリアオペレーションの活動化および非活動化を行う方法であって、キャリアのグループを同時に活動化または非活動化するための明示的な信号を受信するステップを含む方法。
【０２１６】
１０３．上記明示的な信号は、ＵＭＴＳ地上波無線アクセスネットワーク（ＵＴＲＡＮ）から受信される実施形態１０２の方法。
【０２１７】
１０４．上記キャリアのグループは、所与の無線帯域のすべての補助キャリアを含む実施形態１０２〜１０３のいずれか１つの方法。
【０２１８】
１０５．上記無線帯域は、事前に設定されている実施形態１０２〜１０４のいずれか１つの方法。
【０２１９】
１０６．上記無線帯域は、上記明示的なメッセージが受信される帯域に基づき暗黙的である実施形態１０２〜１０５のいずれか１つの方法。
【０２２０】
１０７．上記キャリアのグループは、すべてのダウンリンク補助キャリアを含む実施形態１０２〜１０６のいずれか１つの方法。
【０２２１】
１０８．上記キャリアのグループは、所与のダウンリンクアンカーキャリアに関連付けられたすべてのダウンリンク補助キャリアを含む実施形態１０２〜１０７のいずれか１つの方法。
【０２２２】
１０９．上記キャリアのグループは、特定の周波数帯域にあるすべてのダウンリンクキャリアを含む実施形態１０２〜１０８のいずれか１つの方法。
【０２２３】
１１０．上記キャリアのグループは、ダウンリンクのすべての非アンカーキャリアを含む実施形態１０２〜１０９のいずれか１つの方法。
【０２２４】
１１１．上記キャリアのグループは、あるキャリアグループの一部であるすべてのキャリアを含み、キャリアのグループは、ダウンリンクキャリアの事前定義されたリストである実施形態１０２〜１１０のいずれか１つの方法。
【０２２５】
１１２．グループ内にあるダウンリンクキャリアのリストは、無線ベアラの確立／再構成時に無線リソース制御（ＲＲＣ）シグナリングを通じて事前設定するか、またはＷＴＲＵに事前設定される実施形態１１１の方法。
【０２２６】
１１３．上記キャリアのグループは、ＷＴＲＵに同じ一時無線ネットワーク識別子が割り振られたすべてのキャリアと定義される実施形態１０２〜１１２のいずれか１つの方法。
【０２２７】
１１４．上記明示的な信号は、新規の高速共有制御チャネル（ＨＳ−ＳＣＣＨ）オーダーである実施形態１０２〜１１３のいずれか１つの方法。
【０２２８】
１１５．上記新規のＨＳ−ＳＣＣＨオーダーは、副サービングＨＳ−ＤＳＣＨセルを活動化および非活動化するための既存のオーダーと異なる実施形態１１４の方法。
【０２２９】
１１６．上記明示的な信号は、副サービングＨＳ−ＤＳＣＨセルだけでなく、キャリアのグループの活動化および非活動化も指示するように再解釈された、副サービングＨＳ−ＤＳＣＨセルを活動化および非活動化するための既存オーダーである実施形態１０２〜１１５のいずれか１つの方法。
【０２３０】
１１７．上記明示的な信号は、キャリアのグループを同時に活動化または非活動化するために設計された新規のＬ２またはＬ３明示的なメッセージである実施形態１０２〜１１６のいずれか１つの方法。
【０２３１】
１１８．各自の帯域内で補助とみなされるキャリアに上記既存のオーダーが適用される実施形態１１６の方法。
【０２３２】
１１９．上記明示的な信号は、その信号が送信された帯域内にあるキャリアだけに適用される実施形態１０２〜１１８のいずれか１つの方法。
【０２３３】
１２０．上記明示的な信号は、同じアンカーキャリアに関連付けられた補助キャリアだけに適用される実施形態１〜１１９のいずれか１つの方法。
【０２３４】
１２１．各キャリアを活動化または非活動化するための明示的なＬ１信号を受信するステップをさらに含む実施形態１０２〜１２０のいずれか１つの方法。
【０２３５】
１２２．上記Ｌ１信号は、各キャリアを活動化または非活動化するために企画された新規のＨＳ−ＳＣＣＨオーダーを含む実施形態１２１の方法。
【０２３６】
１２３．上記新規のＨＳ−ＳＣＣＨオーダーは、マルチキャリアに対する活動化／非活動化コマンドを搬送する実施形態１２１〜１２２のいずれか１つの方法。
【０２３７】
１２４．上記ＨＳ−ＳＣＣＨオーダータイプビットの少なくとも１つが所与のキャリアにマッピングされる実施形態１２１〜１２３のいずれか１つの方法。
【０２３８】
１２５．上記ＨＳ−ＳＣＣＨオーダータイプビットのマッピングは、ネットワークによって設定されるか、または暗黙的である実施形態１２４の方法。
【０２３９】
１２６．上記ＨＳ−ＳＣＣＨオーダーは、対象とするキャリアアドレスと組み合わせた単一の活動化／非活動化コマンドを搬送する実施形態１２１〜１２５のいずれか１つの方法。
【０２４０】
１２７．上記ＨＳ−ＳＣＣＨオーダーの２ビットは、４つのキャリアの１つを指示する実施形態１２６の方法。
【０２４１】
１２８．ＨＳ−ＳＣＣＨオーダーの１ビットは、キャリアの活動化または非活動化を指示する実施形態１２６の方法。
【０２４２】
１２９．上記Ｌ１信号は、マルチキャリアの同時の活動化／非活動化をシグナリングするようにビットフィールドが再解釈されたＥ−ＤＣＨ拡張絶対グラントチャネル（Ｅ−ＡＧＣＨ）を含む実施形態１２１〜１２８のいずれか１つの方法。
【０２４３】
１３０．各キャリアを活動化または非活動化するために企画された上記新規のＨＳ−ＳＣＣＨオーダーを含む明示的なＬ２またはＬ３信号を受信するステップをさらに含む実施形態１２１〜１２９のいずれか１つの方法。
【０２４４】
１３１．キャリアの活動化または非活動化は、上記ＷＴＲＵで暗黙的な規則によってトリガされる実施形態１０２〜１３０のいずれか１つの方法。
【０２４５】
１３２．キャリアの活動化または非活動化は、バッファステータスに基づいてトリガされる実施形態１３１の方法。
【０２４６】
１３３．キャリアの活動化または非活動化は、上記アンカーセルにおける受信転送ブロックサイズに基づいてトリガされる実施形態１３１〜１３２のいずれか１つの方法。
【０２４７】
１３４．キャリアの活動化または非活動化は、パワーヘッドルームに基づいてトリガされる実施形態１３１〜１３３のいずれか１つの方法。
【０２４８】
１３５．キャリアの活動化または非活動化は、受信信号電力に基づいてトリガされる実施形態１３１〜１３４のいずれか１つの方法。
【０２４９】
１３６．キャリアの活動化または非活動化のトリガの閾値がネットワークによって設定される実施形態１０２〜１３５のいずれか１つの方法。
【０２５０】
１３７．上記ＷＴＲＵが、Ｌ１、Ｌ２、またはＬ３シグナリングを使用してキャリアの活動化または非活動化の指示メッセージをシグナリングするステップをさらに含む実施形態１０２〜１３６のいずれか１つの方法。
【０２５１】
１３８．上記指示メッセージは、キャリアの活動化または非活動化をトリガする測定値または要因を含む実施形態１３７の方法。
【０２５２】
１３９．上記指示メッセージは、活動化／非活動化すべきキャリアのインデックスを含む実施形態１３７〜１３８のいずれか１つの方法。
【０２５３】
１４０．上記ＷＴＲＵがネットワークからの明示的な活動化または非活動化コマンドを待機するステップをさらに含む実施形態１０２〜１３９のいずれか１つの方法。
【０２５４】
１４１．指示メッセージがキャリアの非活動化であるときにＷＴＲＵが自発的にキャリアを非活動化する実施形態１０２〜１４０のいずれか１つの方法。
【０２５５】
１４２．上記指示メッセージがキャリアの活動化である場合には、上記ＷＴＲＵが自発的にキャリアを活動化する実施形態１０２〜１４１のいずれか１つの方法。
【０２５６】
１４３．上記ネットワークからＬ３メッセージを受信するステップをさらに含み、そのメッセージは、上記ＷＴＲＵをＤＲＸ動作用に設定する実施形態１０２〜１４２のいずれか１つの方法。
【０２５７】
１４４．メッセージは、ＷＴＲＵがすべてのダウンリンクキャリアに暗黙的に適用する１つのＤＲＸパラメータセットを含む実施形態１４３の方法。
【０２５８】
１４５．上記メッセージは、ＷＴＲＵが１つの周波数帯域のすべてのダウンリンクキャリアに適用する、周波数ごとに１つのＤＲＸパラメータセットを含む実施形態１４３の方法。
【０２５９】
１４６．上記メッセージは、各キャリアに個別に１つのＤＲＸパラメータセットを含む実施形態１４３の方法。
【０２６０】
１４７．上記メッセージは、各アンカーキャリアに１つのＤＲＸパラメータセットを含む実施形態１４３の方法。
【０２６１】
１４８．補助キャリアのためのＤＲＸパラメータのセットは、それらの補助キャリアに関連付けられたアンカーキャリアのＤＲＸパラメータと同じである実施形態１４７の方法。
【０２６２】
１４９．上記メッセージは、ダウンリンクキャリアのグループごとに１つのＤＲＸパラメータセットを含み、同じグループにあるすべてのキャリアは、同じＤＲＸパラメータを使用する実施形態１４３の方法。
【０２６３】
１５０．上記グループは、無線ベアラの確立／再構成時に無線リソース制御（ＲＲＣ）シグナリングを使用して事前設定するか、またはＷＴＲＵに事前設定される実施形態１４９の方法。
【０２６４】
１５１．上記グループは、上記ＷＴＲＵに同じ一時無線ネットワーク識別子が割り振られたすべてのキャリアであると定義される実施形態１４９の方法。
【０２６５】
１５２．ダウンリンクキャリアを設定する際にすべてのダウンリンクキャリアについてＤＲＸを非活動化するステップをさらに含む実施形態１０２〜１５１のいずれか１つの方法。
【０２６６】
１５３．ＤＲＸステータスが、事前設定され、ダウンリンクキャリアのすべてまたはサブセットのみに適用される実施形態１０２〜１５２のいずれか１つの方法。
【０２６７】
１５４．ＤＲＸステータスが、各ダウンリンクキャリアに個別に設定される実施形態１０２〜１５３のいずれか１つの方法。
【０２６８】
１５５．ＤＲＸを活動化するステップをさらに含む実施形態１０２〜１５４のいずれか１つの方法。
【０２６９】
１５６．活動化メッセージに応答してＤＲＸが活動化される実施形態１０２〜１５５のいずれか１つの方法。
【０２７０】
１５７．非活動化メッセージに応答してＤＲＸが非活動化される実施形態１０２〜１５６のいずれか１つの方法。
【０２７１】
１５８．上記活動化または非活動化メッセージは、特定のキャリアまたはキャリアのグループを対象とする実施形態１５６〜１５７のいずれか１つの方法。
【０２７２】
１５９．ＤＲＸは、１つまたは複数の測定値に応答して暗黙的に活動化または非活動化される実施形態１０２〜１５８のいずれか１つの方法。
【０２７３】
１６０．上記測定値は、所与の期間にわたるダウンリンクの稼動状況を含む実施形態１５９の方法。
【０２７４】
１６１．上記測定値は、所与の期間にわたるダウンリンクのデータレートを含む実施形態１５９の方法。
【０２７５】
１６２．上記測定値は、報告されるＣＱＩを含む実施形態１５９の方法。
【０２７６】
１６３．上記測定値は、無線電力の測定結果を含む実施形態１５９の方法。
【０２７７】
１６４．ＤＲＸは、事前に設定された閾値に基づいて活動化または非活動化される実施形態１０２〜１６３のいずれか１つの方法。
【０２７８】
１６５．ＤＲＸの暗黙的な活動化または非活動化があると、ネットワークにステータスの変化をシグナリングするステップをさらに含む実施形態１０２〜１６４のいずれか１つの方法。
【０２７９】
１６６．上記メッセージは、関連するキャリアインデックスまたは基準（ｒｅｆｅｒｅｎｃｅ）を含む実施形態１６５の方法。
【０２８０】
１６７．上記メッセージは、ステータスの変化をトリガする測定値を含む実施形態１６５〜１６６のいずれか１つの方法。
【０２８１】
１６８．上記メッセージは、ステータスの変化の要因を含む実施形態１６５〜１６７のいずれか１つの方法。
【０２８２】
１６９．上記メッセージは、活動化の時刻を含む実施形態１６５〜１６８のいずれか１つの方法。
【０２８３】
１７０．上記メッセージは、新しいステータスを含む実施形態１６５〜１６９のいずれか１つの方法。
【０２８４】
１７１．１つまたは複数のキャリアを活動化した後にキャリアのＤＲＸステータスを非活動化前の状態に戻すステップをさらに含む実施形態１０２〜１７０のいずれか１つの方法。
【０２８５】
１７２．１つまたは複数のキャリアを活動化した後にキャリアのＤＲＸステータスをアンカーキャリアと同じステータスに設定するステップをさらに含む、実施形態１０２〜１７１のいずれか１つの方法。
【０２８６】
１７３．１つまたは複数のキャリアを活動化した後に、キャリアのＤＲＸステータスを同じ帯域にあるアンカーキャリアと同じステータスに設定するステップをさらに含む実施形態１０２〜１７２のいずれか１つの方法。
【０２８７】
１７４．１つまたは複数のキャリアを活動化した後に、キャリアのＤＲＸステータスを同じ周波数帯域にあるその他のキャリアと同じステータスに設定するステップをさらに含む実施形態１０２〜１７３のいずれか１つの方法。
【０２８８】
１７５．１つまたは複数のキャリアを活動化した後にＤＲＸステータスをアクティブに設定するステップをさらに含む実施形態１０２〜１７４のいずれか１つの方法。
【０２８９】
１７６．１つまたは複数のキャリアを活動化した後にＤＲＸステータスを非アクティブに設定するステップをさらに含む実施形態１０２〜１７５のいずれか１つの方法。
【０２９０】
１７７．１つまたは複数のキャリアを活動化した後にすべてのキャリアについてＤＲＸを非活動化するステップをさらに含む実施形態１０２〜１７６のいずれか１つの方法。
【０２９１】
１７８．１つまたは複数のキャリアを活動化した後に、新たに活動化されたキャリアと同じ帯域にあるすべてのキャリアにＤＲＸを非活動化するステップをさらに含む実施形態１０２〜１７７のいずれか１つの方法。
【０２９２】
１７９．１つまたは複数のキャリアを活動化した後に、すべてのキャリアにＤＲＸを活動化するステップをさらに含む実施形態１０２〜１７８のいずれか１つの方法。
【０２９３】
１８０．１つまたは複数のキャリアを非活動化した後に、残りのアクティブなキャリアすべてまたはそのうちのグループについてＤＲＸを活動化するステップをさらに含む実施形態１０２〜１７９のいずれか１つの方法。
【０２９４】
１８１．１つまたは複数のキャリアを非活動化した後に、残りのアクティブなキャリアすべてまたはそのうちのグループについてＤＲＸを非活動化するステップをさらに含む実施形態１０２〜１８０のいずれか１つの方法。
【０２９５】
１８２．実施形態１〜１８１のいずれか１つの方法を実行するように構成されたワイヤレス送受信ユニット（ＷＴＲＵ）。
【０２９６】
１８３．実施形態１〜１８１のいずれか１つの方法を実行するように構成された集積回路。
【０２９７】
１８４．実施形態１〜１８１のいずれか１つの方法を実行するように構成された基地局。
【０２９８】
上記では特徴および要素について特定の組み合わせで記載したが、各特徴または要素は、他の特徴および要素を用いずに単独で使用するか、または他の特徴および要素との各種組み合わせ、もしくは他の特徴を用いない組み合わせで使用することができる。本明細書に提供されている方法または流れ図は、汎用コンピュータまたはプロセッサによる実行のためにコンピュータ可読記憶媒体に組み込まれたコンピュータプログラム、ソフトウェア、またはファームウェアとして実施することができる。コンピュータ可読記憶媒体の例としては、ＲＯＭ（読み取り専用メモリ）、ＲＡＭ（ランダムアクセスメモリ）、レジスタ、キャッシュメモリ、半導体メモリデバイス、内蔵ハードディスクや取り外し可能ディスク等の磁気媒体、光磁気媒体、および、ＣＤ−ＲＯＭディスクやＤＶＤ（デジタル多用途ディスク）等の光学媒体が含まれる。
【０２９９】
適切なプロセッサには、例として、汎用プロセッサ、特殊用途プロセッサ、従来のプロセッサ、ＤＳＰ（デジタル信号プロセッサ）、複数のマイクロプロセッサ、ＤＳＰコアと関連した１つまたは複数のマイクロプロセッサ、コントローラ、マイクロコントローラ、ＡＳＩＣ（特定用途集積回路）、ＦＰＧＡ（フィールドプログラマブルゲートアレイ）回路、他の種類のＩＣ（集積回路）、および／または状態機械（ステートマシーン）が含まれる。
【０３００】
ソフトウェアと関連したプロセッサは使用されることにより、ワイヤレス送受信ユニット（ＷＴＲＵ）、ユーザ機器（ＵＥ）、端末、基地局、無線ネットワークコントローラ（ＲＮＣ）、または任意のホストコンピュータに使用する無線周波数送受信器を実行することができる。ＷＴＲＵは、ハードウェアおよび／またはソフトウェアとして実装されたモジュールと併せて使用することができ、それらモジュールは、カメラ、ビデオカメラモジュール、テレビ電話、スピーカ電話、振動装置、スピーカ、マイクロフォン、テレビジョン送受信器、ハンドフリーヘッドセット、キーボード、Ｂｌｕｅｔｏｏｔｈ（登録商標）モジュール、ＦＭ（周波数変調）無線装置、ＬＣＤ（液晶ディスプレイ）表示装置、有機発光ダイオード（ＯＬＥＤ）表示装置、デジタル音楽プレーヤ、メディアプレーヤ、ビデオゲームプレーヤモジュール、インターネットブラウザ、および／またはワイヤレスローカルエリアネットワーク（ＷＬＡＮ）もしくは超広帯域（ＵＷＢ）モジュール等である。
【図１】
0005531023.tif 000011
【図２】
0005531023.tif 000012
【図３】
0005531023.tif 000013
【図４】
0005531023.tif 000014
【図５】
0005531023.tif 000015
【図６】
0005531023.tif 000016
【図７】
0005531023.tif 000017
【図８】
0005531023.tif 000018